(57)【要約】【課題】連続した複数日にわたって太陽光利用沸上運転を実行しようとする場合の、実行・不実行の設定や運転開始時刻の設定の煩雑さを解消する。【解決手段】リモコン装置５０の設定画面６０Ｂ′〜６０Ｉ′では、太陽光利用沸上運転の実行・不実行の選択及びその開始時刻の設定を、連続する７日間にわたって、かつ、各期日共通に一括して行うことができる。これにより、ユーザは、例えば太陽光利用沸上運転の実行日に先立つ９月１４日（金曜日）に、予め、９月１５日（土曜日）〜９月２１日（金曜日）の７日分の前記太陽光利用沸上運転の実行・不実行の選択（図２１（ａ）、図２１（ｂ）等）と各実行日における前記開始時刻の設定（図２２（ｂ）等）とを一括して行うことができる。【選択図】図２２
2020094713.tif 000002
【特許請求の範囲】
【請求項１】
湯水を貯湯する貯湯タンク、前記湯水の加熱を行う加熱手段を備え、前記加熱手段が前記貯湯タンク内の湯水を加熱する沸上運転を行う貯湯式給湯機において、
所望日において、前記所望日の翌日以降を起算日として複数日数連続する所定の連続期日それぞれの所定の夜間帯を除く昼間帯における、太陽光発電装置からの電力を用いた太陽光利用沸上運転の実行・不実行の選択を、各期日共通に一括して受け付ける、共通選択受付手段と、
前記共通選択受付手段により前記連続期日それぞれにおける前記太陽光利用沸上運転の前記実行が選択された場合に、前記連続期日それぞれにおける前記太陽光利用沸上運転の開始時刻の設定を、各期日共通に一括して受け付ける、共通設定受付手段と、
前記共通選択受付手段により受け付けた前記太陽光利用沸上運転の前記実行の選択と、前記共通設定受付手段により受け付けた前記開始時刻の設定と、に応じて、前記太陽光利用沸上運転を行うように前記加熱手段を制御する、加熱制御手段と、
を有することを特徴とする貯湯式給湯機。
【請求項２】
所望の表示を行う表示手段と、
所定の表示日から前記複数日数分経過後の最終日付を表示するように、前記表示手段を制御する最終表示制御手段と、
をさらに有し、
前記共通選択受付手段は、
前記最終表示制御手段の制御で前記表示手段に表示されている前記最終日付までの前記複数日数分の期日それぞれに対する前記実行・不実行の選択を、各期日共通に一括して受け付ける
ことを特徴とする請求項１記載の貯湯式給湯機。
【請求項３】
前記最終表示制御手段は、
前記所望日の前記夜間帯の開始時刻となる前は、前記表示日から前記複数日数分経過後の前記最終日付を表示し、前記所望日の前記夜間帯の開始時刻以降は、前記表示日の翌日から前記複数日数分経過後の前記最終日付を表示するように、前記表示手段を制御する
ことを特徴とする請求項２記載の貯湯式給湯機。
【請求項４】
前記夜間帯の終了時刻以降の第２所定時刻から、前記太陽光発電装置での発電が十分状態から不足状態に陥ると想定される第１所定時刻より早い第３所定時刻までの、時間範囲において、前記太陽光利用沸上運転の前記開始時刻として設定可能な複数の開始時刻候補を表示するように、前記表示手段を制御する時刻表示制御手段をさらに有し、
前記共通設定受付手段は、
前記時刻表示制御手段の制御で前記表示手段に表示されている前記複数の開始時刻候補のうち、いずれか１つを選択することによる前記開始時刻の設定を、各期日共通に一括して受け付ける
ことを特徴とする請求項３記載の貯湯式給湯機。
【請求項５】
前記第３所定時刻は、
前記第１所定時刻までの時間偏差が、前記太陽光利用沸上運転に要する所要時間以上となるように、設定されている
ことを特徴とする請求項４記載の貯湯式給湯機。
【請求項６】
所望の表示を行う表示手段と、
前記共通選択受付手段で前記連続期日における前記実行の選択が受け付けられた場合に、前記連続期日のうち最終日の前日までの間、前記太陽光利用沸上運転の実行を予告する予告表示と、前記最終日の日付と、を表示するように、前記表示手段を制御する予告表示制御手段と
を有する
ことを特徴とする請求項１乃至請求項５の何れか１項に記載の貯湯式給湯機。
【請求項７】
前記予告表示制御手段は、
前記連続期日の各期日における、前記太陽光利用沸上運転の実行開始時刻より前までは、前記最終日の前記日付に代えて、前記太陽光利用沸上運転の前記開始時刻を表示するように、前記表示手段を制御する
ことを特徴とする請求項６記載の貯湯式給湯機。
【請求項８】
前記予告表示制御手段は、
前記表示手段における前記日付の表示から前記開始時刻の表示への切り替えを、前記夜間帯における午前０時よりも遅い第４所定時刻において行う
ことを特徴とする請求項７記載の貯湯式給湯機。
【請求項９】
前記太陽光利用沸上運転の実行日における当該太陽光利用沸上運転が実行されている間は、その実行中であることを表す実行表示を表示するように、前記表示手段を制御する実行表示制御手段をさらに有する
ことを特徴とする請求項６乃至請求項８の何れか１項に記載の貯湯式給湯機。
【請求項１０】
前記共通選択受付手段は、
前記所望日において、当該所望日を前記起算日とする前記太陽光利用沸上運転の実行・不実行の選択は受け付けない
ことを特徴とする請求項１乃至請求項９の何れか１項に記載の貯湯式給湯機。
【請求項１１】
前記共通選択受付手段は、
前記所望日のうち前記夜間帯の開始時刻以降においては、前記翌日を起算日とする前記太陽光利用沸上運転の実行・不実行の選択は受け付けず、前記所望日の翌々日以降を起算日とする前記太陽光利用沸上運転の実行・不実行の選択を受け付ける
ことを特徴とする請求項１乃至請求項１０の何れか１項に記載の貯湯式給湯機。
【請求項１２】
前記共通選択受付手段により受け付けられた、前記各期日共通の太陽光利用沸上運転の前記実行又は前記不実行の選択に対する取り消しを、各期日共通に一括して受け付ける、共通取消受付手段をさらに有する
ことを特徴とする請求項１乃至請求項１１の何れか１項に記載の貯湯式給湯機。
【請求項１３】
前記共通取消受付手段は、
前記共通選択受付手段で受け付けた前記実行の選択に基づき前記太陽光利用沸上運転が実行される実行日における、当該太陽光利用沸上運転の終了時刻より前は、前記実行日以降に対する前記実行又は前記不実行の選択に対する前記取り消しを受け付ける
ことを特徴とする請求項１２記載の貯湯式給湯機。
【請求項１４】
前記共通取消受付手段は、    
前記共通選択受付手段で受け付けた前記実行の選択に基づき前記太陽光利用沸上運転が実行される実行日における、当該太陽光利用沸上運転の終了時刻以降は、前記実行日に対する前記実行の選択に対する前記取り消しを受け付けず、前記実行日の翌日以降に対する前記実行の選択に対する前記取り消しを受け付ける
ことを特徴とする請求項１２または請求項１３記載の貯湯式給湯機。
【請求項１５】
前記共通設定受付手段により受け付けられた、前記各期日共通の太陽光利用沸上運転の前記開始時刻の設定に対する変更を、各期日共通に一括して受け付ける、共通変更受付手段をさらに有する
ことを特徴とする請求項１乃至請求項１４の何れか１項に記載の貯湯式給湯機。
【請求項１６】
前記共通変更受付手段は、
前記共通選択受付手段で受け付けた前記実行の選択に基づき前記太陽光利用沸上運転が実行された実行日における、当該太陽光利用沸上運転の開始時刻より前は、前記実行日以降に対する前記開始時刻に対する前記変更を受け付ける
ことを特徴とする請求項１５記載の貯湯式給湯機。
【請求項１７】
前記共通変更受付手段は、
前記共通選択受付手段で受け付けた前記実行の選択に基づき前記太陽光利用沸上運転が実行された実行日における、当該太陽光利用沸上運転の開始時刻以降は、前記実行日に対する前記開始時刻に対する前記変更を受け付けず、前記実行日の翌日以降に対する前記開始時刻に対する前記変更を受け付ける
ことを特徴とする請求項１５または請求項１６記載の貯湯式給湯機。
【請求項１８】
前記加熱制御手段は、
前記共通変更受付手段が、前記実行日の、前記太陽光利用沸上運転の前記開始時刻より早い受付時刻において、当該実行日における前記開始時刻を前記受付時刻よりも早くする変更を受け付けた時には、前記太陽光利用沸上運転を開始するように前記加熱手段を制御する
ことを特徴とする請求項１７記載の貯湯式給湯機。
【請求項１９】
前記連続期日は、
１週間連続する７つの期日により構成される
ことを特徴とする請求項１乃至請求項１８の何れか１項に記載の貯湯式給湯機。
【発明の詳細な説明】
【技術分野】
【０００１】
この発明は、太陽光発電による電力を用いた沸上運転を行う貯湯式給湯機に関するものである。
【背景技術】
【０００２】
従来よりこの種の貯湯式給湯機においては、特許文献１記載のように、ＨＥＭＳ（＝Ｈｏｍｅ  Ｅｎｅｒｇｙ  Ｍａｎａｇｅｍｅｎｔ  Ｓｙｓｔｅｍ）機器が電力マネジメントを行い、気象予測情報による日照条件が良好な場合には太陽光発電装置を制御することで太陽光受光による発電を行い、貯湯式給湯機がその電力を用いて貯湯タンク内の湯水を加熱する沸上運転を行うものがあった。
【先行技術文献】
【特許文献】
【０００３】
【特許文献１】特開２０１８−１１５８２６号公報
【発明の概要】
【発明が解決しようとする課題】
【０００４】
近年、前記ＨＥＭＳ機器が備わっていない貯湯式給湯機においても、前記従来技術と同様の太陽光利用の沸上運転を実行できる手法が提唱されつつある。すなわち、ユーザが天気予報等に基づいて日照条件の良否を自ら判断した後、手動操作により、例えば翌日の太陽光利用沸上運転を実行するかしないか、実行するならその運転開始時刻を翌日のいつにするか、等を設定するものである。
【０００５】
しかしながら上記手法の場合、連続した複数日にわたって前記太陽光利用沸上運転を実行しようとする場合、それら複数の実行日それぞれの前日に、前記の太陽光利用沸上運転の実行・不実行や運転開始時刻の設定を毎日行わなければならず、ユーザにとって非常に煩雑であるという問題があった。
【課題を解決するための手段】
【０００６】
上記課題を解決するために、本発明の請求項１では、湯水を貯湯する貯湯タンク、前記湯水の加熱を行う加熱手段を備え、前記加熱手段が前記貯湯タンク内の湯水を加熱する沸上運転を行う貯湯式給湯機において、所望日において、前記所望日の翌日以降を起算日として複数日数連続する所定の連続期日それぞれの所定の夜間帯を除く昼間帯における、太陽光発電装置からの電力を用いた太陽光利用沸上運転の実行・不実行の選択を、各期日共通に一括して受け付ける、共通選択受付手段と、前記共通選択受付手段により前記連続期日それぞれにおける前記太陽光利用沸上運転の前記実行が選択された場合に、前記連続期日それぞれにおける前記太陽光利用沸上運転の開始時刻の設定を、各期日共通に一括して受け付ける、共通設定受付手段と、前記共通選択受付手段により受け付けた前記太陽光利用沸上運転の前記実行の選択と、前記共通設定受付手段により受け付けた前記開始時刻の設定と、に応じて、前記太陽光利用沸上運転を行うように前記加熱手段を制御する、加熱制御手段と、を有するものである。
【０００７】
また、請求項２では、所望の表示を行う表示手段と、所定の表示日から前記複数日数分経過後の最終日付を表示するように、前記表示手段を制御する最終表示制御手段と、をさらに有し、前記共通選択受付手段は、前記最終表示制御手段の制御で前記表示手段に表示されている前記最終日付までの前記複数日数分の期日それぞれに対する前記実行・不実行の選択を、各期日共通に一括して受け付けるものである。
【０００８】
また、請求項３では、前記最終表示制御手段は、前記所望日の前記夜間帯の開始時刻となる前は、前記表示日から前記複数日数分経過後の前記最終日付を表示し、前記所望日の前記夜間帯の開始時刻以降は、前記表示日の翌日から前記複数日数分経過後の前記最終日付を表示するように、前記表示手段を制御するものである。
【０００９】
また、請求項４では、前記夜間帯の終了時刻以降の第２所定時刻から、前記太陽光発電装置での発電が十分状態から不足状態に陥ると想定される第１所定時刻より早い第３所定時刻までの、時間範囲において、前記太陽光利用沸上運転の前記開始時刻として設定可能な複数の開始時刻候補を表示するように、前記表示手段を制御する時刻表示制御手段をさらに有し、前記共通設定受付手段は、前記時刻表示制御手段の制御で前記表示手段に表示されている前記複数の開始時刻候補のうち、いずれか１つを選択することによる前記開始時刻の設定を、各期日共通に一括して受け付けるものである。
【００１０】
また、請求項５では、前記第３所定時刻は、前記第１所定時刻までの時間偏差が、前記太陽光利用沸上運転に要する所要時間以上となるように、設定されているものである。
【００１１】
また、請求項６では、所望の表示を行う表示手段と、前記共通選択受付手段で前記連続期日における前記実行の選択が受け付けられた場合に、前記連続期日のうち最終日の前日までの間、前記太陽光利用沸上運転の実行を予告する予告表示と、前記最終日の日付と、を表示するように、前記表示手段を制御する予告表示制御手段とを有するものである。
【００１２】
また、請求項７では、前記予告表示制御手段は、前記連続期日の各期日における、前記太陽光利用沸上運転の実行開始時刻より前までは、前記最終日の前記日付に代えて、前記太陽光利用沸上運転の前記開始時刻を表示するように、前記表示手段を制御するものである。
【００１３】
また、請求項８では、前記予告表示制御手段は、前記表示手段における前記日付の表示から前記開始時刻の表示への切り替えを、前記夜間帯における午前０時よりも遅い第４所定時刻において行うものである。
【００１４】
また、請求項９では、前記太陽光利用沸上運転の実行日における当該太陽光利用沸上運転が実行されている間は、その実行中であることを表す実行表示を表示するように、前記表示手段を制御する実行表示制御手段をさらに有するものである。
【００１５】
また、請求項１０では、前記共通選択受付手段は、前記所望日において、当該所望日を前記起算日とする前記太陽光利用沸上運転の実行・不実行の選択は受け付けないものである。
【００１６】
また、請求項１１では、前記共通選択受付手段は、前記所望日のうち前記夜間帯の開始時刻以降においては、前記翌日を起算日とする前記太陽光利用沸上運転の実行・不実行の選択は受け付けず、前記所望日の翌々日以降を起算日とする前記太陽光利用沸上運転の実行・不実行の選択を受け付けるものである。
【００１７】
また、請求項１２では、前記共通選択受付手段により受け付けられた、前記各期日共通の太陽光利用沸上運転の前記実行又は前記不実行の選択に対する取り消しを、各期日共通に一括して受け付ける、共通取消受付手段をさらに有するものである。
【００１８】
また、請求項１３では、前記共通取消受付手段は、前記共通選択受付手段で受け付けた前記実行の選択に基づき前記太陽光利用沸上運転が実行される実行日における、当該太陽光利用沸上運転の終了時刻より前は、前記実行日以降に対する前記実行又は前記不実行の選択に対する前記取り消しを受け付けるものである。
【００１９】
また、請求項１４では、前記共通取消受付手段は、前記共通選択受付手段で受け付けた前記実行の選択に基づき前記太陽光利用沸上運転が実行される実行日における、当該太陽光利用沸上運転の終了時刻以降は、前記実行日に対する前記実行の選択に対する前記取り消しを受け付けず、前記実行日の翌日以降に対する前記実行の選択に対する前記取り消しを受け付けるものである。
【００２０】
また、請求項１５では、前記共通設定受付手段により受け付けられた、前記各期日共通の太陽光利用沸上運転の前記開始時刻の設定に対する変更を、各期日共通に一括して受け付ける、共通変更受付手段をさらに有するものである。
【００２１】
また、請求項１６では、前記共通変更受付手段は、前記共通選択受付手段で受け付けた前記実行の選択に基づき前記太陽光利用沸上運転が実行された実行日における、当該太陽光利用沸上運転の開始時刻より前は、前記実行日以降に対する前記開始時刻に対する前記変更を受け付けるものである。
【００２２】
また、請求項１７では、前記共通変更受付手段は、前記共通選択受付手段で受け付けた前記実行の選択に基づき前記太陽光利用沸上運転が実行された実行日における、当該太陽光利用沸上運転の開始時刻以降は、前記実行日に対する前記開始時刻に対する前記変更を受け付けず、前記実行日の翌日以降に対する前記開始時刻に対する前記変更を受け付けるものである。
【００２３】
また、請求項１８では、前記加熱制御手段は、前記共通変更受付手段が、前記実行日の、前記太陽光利用沸上運転の前記開始時刻より早い受付時刻において、当該実行日における前記開始時刻を前記受付時刻よりも早くする変更を受け付けた時には、前記太陽光利用沸上運転を開始するように前記加熱手段を制御するものである。
【００２４】
また、請求項１９では、前記連続期日は、１週間連続する７つの期日により構成されるものである。
【発明の効果】
【００２５】
この発明の請求項１によれば、加熱制御手段による加熱手段への制御により、太陽光発電装置からの電力を用いた太陽光利用沸上運転を行う際、その運転設定を事前に行うために、共通選択受付手段と、共通設定受付手段と、が設けられる。ユーザは、所望日において、その翌日以降における前記太陽光利用沸上運転の実行・不実行を選択でき、その選択結果が前記共通選択受付手段により受け付けられる。またユーザは、前記太陽光利用沸上運転の実行を選択した場合は、その実行日における当該太陽光利用沸上運転の開始時刻を設定でき、その設定結果は共通設定受付手段により受け付けられる。
【００２６】
このとき、特に請求項１によれば、前記実行・不実行の選択及び前記開始時刻の設定を、連続する複数日数の期日（＝連続期日）にわたって行うことができ、かつ、それら複数の期日すべてに対し共通に一括して前記選択及び前記設定を行うことができる。これにより、ユーザは、例えば太陽光利用沸上運転の実行日に先立つ所望の日に、予め、複数日数分の前記太陽光利用沸上運転の実行・不実行の選択と実行日における前記開始時刻の設定とを一括して行うことができる。この結果、前記したような煩雑さを解消し、ユーザにとっての利便性を向上することができる。
【００２７】
また、単純に、前記実行日以降の毎日、同じ開始時刻に前記太陽光利用沸上運転の実行を設定する構成の場合、ユーザがその設定を取り消さない限り、半永久的に毎日前記太陽光利用沸上運転の実行が繰り返されることとなる。特に、ユーザが前記太陽光利用沸上運転の前記実行の設定をしたことを失念していた場合には、意図しない長期間にわたって不用意に前記太陽光利用沸上運転が実行されるおそれがある。
【００２８】
これに対して、請求項１によれば、前記太陽光利用沸上運転の実行が開始された後、少なくとも前記複数日数が経過すれば前記太陽光利用沸上運転は実行されなくなるので、前記のような不都合を未然に防止することができる。
【００２９】
また、請求項２によれば、ユーザは、最終表示制御手段の制御により表示手段に表示されている複数日数分の最終日の日付を見ながら、各日付共通で、前記太陽光利用沸上運転の実行・不実行の選択を一括して行うことができる。これにより、わかりやすく簡便な操作で前記選択を行うことができ、さらにユーザにとっての利便性を向上することができる。
【００３０】
また、ユーザは、前記複数日数分の各日付について共通に前記太陽光利用沸上運転の実行が選択されているのか不実行が選択されているのか、何日までが選択済なのか、等を容易に確認できる。この結果、ユーザは、天気予報の変化等に応じてさらに前記選択の変更が必要かどうかを判断し、必要に応じて適宜前記選択変更等を行うことができる。
【００３１】
前記のように、通常、夜間帯は、ある日付遅くの深夜時刻から始まり、午前０時で翌日の日付に変わった後、その翌日の早朝までの時間帯となる（例えば電力会社との契約内容によって決まる）。そして、翌日に太陽光利用沸上運転を実行するかどうか否かによって、当該夜間帯における沸上運転の態様が変わってくる（翌日に太陽光利用沸上運転を行う場合には、その前日の夜間帯に行われる沸上運転での沸上湯量を、前記太陽光利用沸上運転で見込まれる沸上湯量分だけ減算するため）。したがって、表示手段において前記最終日付を表示するときの表示切り替えの境目としては、暦通りの午前０時とするのはなく、それより前の前記夜間帯の開始時刻としたほうが、前記の事情との整合が図りやすく、好都合である。これに対応して、請求項３によれば、夜間帯の開始時刻（例えば前記２３時）となる前はその日から前記複数日数分経過した後の前記最終日付を表示する一方、前記夜間帯の開始時刻以降はその日の翌日から前記複数日数分経過した後の前記最終日付を表示する。これにより、前記の整合を図ることができ、ユーザにとってわかりやすく使いやすい表示内容とすることができる。
【００３２】
太陽光発電は少なくとも夜間帯には行われないので、前記太陽光利用沸上運転が行われるときの開始時刻は、夜間帯の終了時刻以降となる。また、太陽光の照射は日中が発電を行うのに十分であっても、夕方に近づくほど徐々に小さくなり、ある程度の時刻（例えば１７時等。第１所定時刻）になると、発電するには不足する状態となる。したがって、その第１所定時刻以降はその日の太陽光発電は不可能であるため、前記開始時刻は当該第１所定時刻以前となる。詳細には、前記太陽光利用沸上運転の所要時間を考えれば、前記第１所定時刻から前記所要時間分だけ繰り上がった時刻以降は、前記開始時刻を設定しても意味がない。そこで請求項４によれば、時刻表示制御手段の制御により、表示手段が、夜間帯の終了時刻以降の第２所定時刻（例えば７時）から、前記第１所定時刻（例えば１７時）より早い第３所定時刻（例えば１５時）までの、時間範囲（前記の例では７時〜１５時）において、複数の開始時刻候補を表示する。ユーザは、この複数の候補の中から前記開始時刻を適宜に選択すれば足りるので、簡単な操作でわかりやすく、利便性をさらに向上することができる。
【００３３】
また、請求項５によれば、第３所定時刻と第１所定時刻との時間偏差を、少なくとも太陽光利用沸上運転に要する所要時間以上分は確保することにより、前記のような実質的に意味のない表示を確実に回避し、ユーザにとってわかりやすく使いやすい表示内容とすることができる。
【００３４】
また、請求項６によれば、ユーザは、太陽光利用沸上運転の実行の選択がなされていること、及び、当該太陽光利用沸上運転がいつまで実行されるのか、を確実に視認することができる。
【００３５】
また、太陽光利用沸上運転が実行される複数日数の最終日が容易に確認できるので、ユーザは、天気予報の変化等に応じて適宜に前記実行・不実行の選択の変更が必要かどうかを前記最終日まで判断することができ、必要に応じて適宜前記選択変更等を行うことができる。
【００３６】
また、請求項７によれば、ユーザは、太陽光利用沸上運転が実行される日になったこと、及び、その日の何時に当該太陽光利用沸上運転が始まるのか、を確実に視認することができる。
【００３７】
また、前記太陽光利用沸上運転が実行される当日において太陽光利用沸上運転の開始時刻が容易に確認できるので、ユーザは、例えば当日の時間帯別の天気予報の変化等に応じてさらに前記実行・不実行の選択の変更や前記開始時刻の設定の変更が必要かどうかをギリギリまで判断することができ、必要に応じて適宜前記選択変更や前記開始時刻の変更等を行うことができる。
【００３８】
前記したように夜間帯の設定は電力会社との契約内容によって種々異なる場合があり、その設定によっては、前記のような実行日前日から実行日当日への区切りを考える際に午前０時を境にするとうまく整合しない場合がありうる。そこで請求項８によれば、午前０時よりも遅い第４所定時刻（例えば午前１時）を境に前記日付表示から前記開始時刻の表示に切り替えることで、前記の弊害を未然に防止することができる。
【００３９】
また、請求項９によれば、ユーザに対し、いま現在、太陽光利用沸上運転が実行中であることを確実に報知することができる。またこれにより、その日の当該太陽光利用沸上運転の前記開始時刻の変更を行うことができないことをユーザに確実に認識させることもできる。
【００４０】
また、通常、太陽光利用沸上運転を行う場合には、その前日の夜間帯に行われる沸上運転での沸上湯量を、前記太陽光利用沸上運転で見込まれる沸上湯量分だけ減算することで、夜間沸上時の電気料金の抑制が図られる。したがって、太陽光利用沸上運転を行うか否かは、少なくともその運転を行う前日には確定しておく必要がある。請求項１０によれば、当日を起算日とした前記複数日数の前記太陽光利用沸上運転の実行・不実行の選択を受け付けない、言い換えれば少なくとも当日の翌日以降を起算日とした前記複数日数の前記選択のみを受け付けることで、前記沸上湯量の減算による電気料金抑制を確実に図ることができる。
【００４１】
また、通常、夜間帯は、ある日付遅くの深夜時刻から始まり、午前０時で翌日の日付に変わった後、その翌日の早朝までの時間帯となる（例えば電力会社との契約内容によって決まる）。請求項１１によれば、午前０時になる前であっても、前記夜間帯が開始される開始時刻となっていればその翌日を起算日とする前記太陽光利用沸上運転の実行・不実行の選択を受け付けないようにすることで、前記同様、当該夜間帯の沸上運転における前記沸上湯量の減算による電気料金抑制を確実に図ることができる。
【００４２】
また、請求項１２によれば、例えば天気予報の内容が変わった等の何らかの事情によって一旦ユーザが行った太陽光利用沸上運転の前記実行・不実行の選択を取り消したい場合にも確実に対応することができる。この結果、ユーザにとっての利便性をさらに向上することができる。
【００４３】
また、ユーザの前記実行の選択で太陽光利用沸上運転が終了する前であれば、その日における当該実行の選択が取り消されても、制御上はただちに前記太陽光利用沸上運転を中止すれば問題はない。請求項１３によれば、これに対応して太陽光利用沸上運転が終了する前における前記取り消しを許容することで、さらにユーザの利便性を向上することができる。
【００４４】
また、請求項１４によれば、ユーザの前記実行の選択で既に太陽光利用沸上運転が実行済みのタイミングにおいて、その日における当該実行の選択が取り消されることにより制御上の混乱が生じるのを、未然に防止することができる。
【００４５】
また、請求項１５によれば、例えば天気予報の内容が変わった等の何らかの事情によって一旦ユーザが行った太陽光利用沸上運転の前記開始時刻の設定を変更したい場合にも確実に対応することができる。この結果、ユーザにとっての利便性をさらに向上することができる。
【００４６】
また、ユーザの前記実行の選択で太陽光利用沸上運転が開始される前であれば、その日における当該太陽光利用沸上運転の開始時刻が変更されても、制御上はただちにその変更された開始時刻に対応して前記太陽光利用沸上運転を行えば問題はない。請求項１６によれば、これに対応して太陽光利用沸上運転が開始される前における前記変更を許容することで、さらにユーザの利便性を向上することができる。
【００４７】
また、請求項１７によれば、ユーザの前記開始時刻の設定で既に太陽光利用沸上運転が開始済みのタイミングにおいて、当該開始時刻が変更されることにより制御上の混乱が生じるのを、未然に防止することができる。
【００４８】
また、請求項１８によれば、ユーザの当初の意図とは異なり、現在時刻よりも早いタイミングで太陽光利用沸上運転を開始したかったという新たな意図に対応し、極力迅速に太陽光利用沸上運転を開始することができる。
【００４９】
また、一般に、天気予報では、ある程度連続した複数の日付における天気を一括して予測する場合に、１週間を単位とした週間天気予報の態様でアナウンスされることが多い。請求項１９によれば、これに対応し、前記連続期日を７日連続する７つの期日とする。すなわち、所望日の翌日を起算日とした７日間に関してだけ、前記太陽光利用沸上運転の前記実行・不実行の選択と、前記太陽光利用沸上運転の前記開始時刻の設定とを、共通に一括して行えるようにする。これにより、前記の事情に鑑みてあまり意味のない長い期間（例えば２０日間、３０日間等）の前記選択及び前記設定をなくし、実情に合致した使いやすい装置構成とすることができる。
【図面の簡単な説明】
【００５０】
【図１】本発明の第１実施形態の太陽光発電装置連携貯湯式給湯システムのシステム構成図
【図２】天気が晴れと予測された場合の、太陽光発電による発電電力量、及び、電気負荷機器における消費電力量、の経時挙動を概念的に表すグラフ図
【図３】天気が雨又は曇り等と予測された場合の、太陽光発電による発電電力量、及び、電気負荷機器における消費電力量、の経時挙動を概念的に表すグラフ図
【図４】制御装置の機能的構成を表す機能ブロック図
【図５】リモコン装置の詳細構成を表す外観図
【図６】制御装置が実行する制御手順の前半部分を表すフローチャート図
【図７】制御装置が実行する制御手順の後半部分を表すフローチャート図
【図８】ステップＳ２００の詳細手順を表すフローチャート図
【図９】ステップＳ３００の詳細手順を表すフローチャート図
【図１０】リモコン装置の画面表示部に備えられる設定画面の表示例を表す図
【図１１】リモコン装置の画面表示部に備えられる設定画面の表示例を表す図
【図１２】リモコン装置の画面表示部に備えられる設定画面の表示例を表す図
【図１３】リモコン装置の画面表示部に備えられる設定画面の表示例を表す図
【図１４】リモコン装置の画面表示部に備えられる設定画面の表示例を表す図
【図１５】リモコン装置の画面表示部に備えられる設定画面の表示例を表す図
【図１６】リモコン装置の設定画面に備えられる日付表示部における日付表示、太陽光利用沸上運転の実行・不実行を設定する日付設定の可否、日付設定のキャンセルの可否、太陽光利用沸上運転の開始時刻の設定変更の可否、の移り変わりの例を説明するタイムテーブル図
【図１７】リモコン装置の画面表示部に備えられる待機画面の表示例を表す図
【図１８】リモコン装置の画面表示部に備えられる他機画面の表示例を表す図
【図１９】リモコン装置の待機画面において表示される余剰沸上予告マーク、日付表示部、時刻表示部、及びメッセージ表示の移り変わりを表すタイムテーブル図
【図２０】本発明の第２実施形態におけるリモコン装置の画面表示部に備えられる設定画面の表示例を表す図
【図２１】リモコン装置の画面表示部に備えられる設定画面の表示例を表す図
【図２２】リモコン装置の画面表示部に備えられる設定画面の表示例を表す図
【図２３】リモコン装置の画面表示部に備えられる設定画面の表示例を表す図
【図２４】リモコン装置の設定画面に備えられる日付表示部における最終日付表示、太陽光利用沸上運転の実行・不実行を設定する日付設定の可否、日付設定のキャンセルの可否、太陽光利用沸上運転の開始時刻の設定変更の可否、の移り変わりの例を説明するタイムテーブル図
【図２５】リモコン装置の画面表示部に備えられる待機画面の表示例を表す図
【図２６】リモコン装置の画面表示部に備えられる待機画面の表示例を表す図
【図２７】リモコン装置の画面表示部に備えられる待機画面の表示例を表す図
【図２８】リモコン装置の待機画面において表示される余剰沸上予告マーク、日付表示部、時刻表示部、及びメッセージ表示の移り変わりを表すタイムテーブル図
【図２９】本発明の第３実施形態におけるリモコン装置の画面表示部に備えられる設定画面の表示例を表す図
【図３０】リモコン装置の待機画面において表示される余剰沸上予告マーク、日付表示部、時刻表示部、及びメッセージ表示の移り変わりを表すタイムテーブル図
【図３１】リモコン装置の待機画面において表示される余剰沸上予告マーク、日付表示部、時刻表示部、及びメッセージ表示の移り変わりを表すタイムテーブル図
【発明を実施するための形態】
【００５１】
次に、本発明の実施の形態を図１〜図３１に基づいて説明する。
【００５２】
本発明の第１実施形態を図１〜図１９により説明する。
【００５３】
＜システム構成概略＞
本実施形態の貯湯式給湯機を備えた給湯システムのシステム構成を図１に示す。なお、図１においては、図示の煩雑防止のために、後述する信号授受のうち一部は図示省略している。図１において、本実施形態の給湯システム１００は、図示しない家屋等の建造物（特定の電力消費設備）に設置されたヒートポンプ式の貯湯式給湯機１と、商用電源４９に接続された分電盤２と、前記家屋の屋根等に設置された太陽光発電パネル４、及び、太陽光発電パネル４の発電電力を交流電源に変換するインバータ５を備えた太陽光発電装置３と、前記貯湯式給湯機１以外の他の負荷を構成する、例えばエアコン等からなる電気負荷機器６（図１中では単に「エアコン」と図示）と、ネットワーク通信網８と、サーバ９とを有している。なお、前記ネットワーク通信網８及びサーバ９は省略されていても良い。その場合、後述のリモコン装置５０におけるネットワーク表示部６５の表示も省略される（後述の図５等参照）。
【００５４】
前記貯湯式給湯機１は、リモコン装置５０（操作手段に相当）と、湯水を貯湯する貯湯タンク１０と、前記貯湯タンク１０の底部に給水する給水管１１と、前記貯湯タンク１０の頂部から出湯する出湯管１２と、前記給水管１１から分岐した給水バイパス管１３と、前記出湯管１２からの湯と前記給水バイパス管１３からの水を、前記リモコン装置５０によって設定された給湯設定温度になるように混合する混合弁１４と、図示しない給湯端末に給湯する給湯管１５と、給湯流量を検出し対応する検出信号を出力する給湯流量センサ１６と、給湯温度を検出し対応する検出信号を出力する給湯温度センサ１７と、前記貯湯タンク１０内の湯水の貯湯温度を検出し対応する検出信号を出力する貯湯温度センサ１８とを有している。前記貯湯温度センサ１８は、貯湯タンク１０の側面に高さ位置を変えて複数個設けられている。これら複数の貯湯温度センサ１８のそれぞれは、例えば、十分に加熱された状態の湯の温度に対応して予め設定された、所定のしきい値以上の湯水温度を検出したとき、対応する検出信号を制御装置３１へ出力するように構成されている。これにより、前記複数の貯湯温度センサ１８のうち何個のセンサから前記検出信号が出力されているかに基づき、前記制御装置３１は、前記貯湯タンク１０内において十分に加熱された状態となっている湯の量（すなわち貯湯量）を検出することができる。
【００５５】
また、前記貯湯式給湯機１はさらに、前記貯湯タンク１０内の湯水を沸上目標温度に加熱するヒートポンプ装置１９（加熱手段に相当）を有している。このヒートポンプ装置１９は、冷媒を高温高圧に圧縮搬送する圧縮機２０と、前記高温の高圧の冷媒と前記貯湯タンク１０からの水との熱交換を行う水冷媒熱交換器２１と、前記水冷媒熱交換器２１で熱交換後の冷媒を減圧膨張させる膨張弁２２と、外気と低圧冷媒との熱交換を行い低圧冷媒を蒸発させる空気熱交換器２３と、前記空気熱交換器２３へ外気を送風する送風機２４と、前記圧縮機２０から吐出される前記冷媒の温度を検出し対応する検出信号を前記制御装置３１へ出力する吐出温度センサ２５と、外気温度を検出し対応する検出信号を前記制御装置３１へ出力する外気温度センサ３０と、を備えている。
【００５６】
また、前記貯湯式給湯機１はさらに、貯湯式給湯機１全体の作動を制御する前記制御装置３１と、前記貯湯タンク１０の下部と前記水冷媒熱交換器２１の水側入口とを接続する加熱往き管２６と、水冷媒熱交換器２１の水側出口と前記貯湯タンク１０の上部とを接続する加熱戻り管２７と、前記加熱往き管２６の途中に設けられた加熱循環ポンプ２８と、前記加熱戻り管２７に設けられ検出信号を前記制御装置３１へ出力する沸上温度センサ２９とを有している。なお、前記の加熱往き管２６、加熱戻り管２７、及び加熱循環ポンプ２８により加熱循環回路が構成されている（以下適宜、単に「加熱循環回路２６，２７，２８」という）。
【００５７】
＜太陽光利用沸上運転＞
上記構成の給湯システム１００において、日照条件が良好な場合には、前記太陽光発電装置３は、前記太陽光発電パネル４で太陽光を受光して発電を行うことができる。そして、前記貯湯式給湯機１は、ユーザの手動による各種の設定に従って（詳細は後述）、この太陽光発電装置３で発電された電力を用いて、前記ヒートポンプ装置１９が加熱循環回路２６，２７，２８を介し貯湯タンク１０内の湯水を加熱する沸上運転を行うことができる。逆に、日照条件があまり良好でない場合、前記太陽光発電装置３は太陽光の受光による十分な発電を行うことができないため、前記貯湯式給湯機１は前記商用電源４９から供給される電力を用いて、前記沸上運転を行う。
【００５８】
前記のような太陽光発電による電力を用いた沸上運転を行うためには、少なくとも発電電力値がある程度大きい（詳細には、貯湯式給湯機１に供給される電力値、すなわち、発電電力値から貯湯式給湯機１を除く前記電気負荷機器６の消費する負荷使用電力値を差し引いた余剰電力値がある程度大きい。後述）必要がある。このことを、図２及び図３により説明する。
【００５９】
＜電力挙動の一例＞
図２は、横軸に「０：００」，「１：００」，・・，「２３：００」，「２４：００」のように時刻が刻まれる時間軸を、かつ、縦軸に電力量［ｋＷｈ］を取ったときの、前記太陽光発電装置３における発電電力量、前記電気負荷機器６の消費する前記負荷使用電力、及び、貯湯式給湯機１の単位時間ごとの消費電力を表す装置使用電力、の挙動の一例を概念的にそれぞれ表したグラフである。
【００６０】
図２に示すように、この例は、天気が晴れである場合の例である。すなわち、図中の実線による折れ線グラフで示すように、前記太陽光発電装置３における発電電力量は、０：００〜６：００までほぼ０［ｋＷｈ］で推移するが、日の出（６：００〜７：００の間）とともに徐々に上昇し、７：００では０．２［ｋＷｈ］、８：００では１．０［ｋＷｈ］、８：３０で１．５［ｋＷｈ］、となり、その後９：００で１．８［ｋＷｈ］、１０：００では２．５［ｋＷｈ］、１１：００での３．２［ｋＷｈ］を経て、１２：００における３．３［ｋＷｈ］でピークを迎える。その後は、太陽光発電装置３における発電電力量は、日の陰りとともに徐々に減少し、１３：００では３．２［ｋＷｈ］、１４：００では２．５［ｋＷｈ］となり、その後１５：００で１．８［ｋＷｈ］、１５：３０で１．５［ｋＷｈ］、１６：００では１．０［ｋＷｈ］、１７：００での０．２［ｋＷｈ］を経て、日の入り（１７：００〜１８：００の間）により１８：００以降はそのまま２４：００までほぼ０［ｋＷｈ］となる。
【００６１】
一方、図中の灰色の棒グラフで示すように、前記電気負荷機器６における負荷使用電力は、０：００〜２４：００の間、終日、０．５［ｋＷｈ］となっている。この結果、「太陽光発電装置３における発電電力量」−「電気負荷機器６における負荷使用電力量」で表される前記余剰電力の値は、図２に示すように、８：００で初めて０．５［ｋＷｈ］が生じ、８：３０で１．０［ｋＷｈ］、９：００で１．３［ｋＷｈ］、１０：００で２．０［ｋＷｈ］、１１：００での２．７［ｋＷｈ］を経て、１２：００における２．８［ｋＷｈ］で最大となる。その後、徐々に減少し、１３：００では２．７［ｋＷｈ］、１４：００では２．０［ｋＷｈ］、１５：００で１．３［ｋＷｈ］、１５：３０で１．０［ｋＷｈ］、１６：００で０．５［ｋＷｈ］となる。
【００６２】
以上のような余剰電力の時間変動に対し、この例では、前記貯湯式給湯機１が運転されるときの上記装置使用電力は、単位時間あたり１［ｋＷｈ］となっている。この結果、ユーザは、例えば翌日１日間の天気予報・気象情報等の公知の情報源によって上記の挙動を認識できた場合には、例えば「余剰電力」≧「貯湯式給湯機１の装置使用電力」となる、８：３０〜１５：３０までの時間帯（以下適宜、「沸上可能時間帯」と称する）において、前記余剰電力により前記貯湯式給湯機１を運転可能であると判断することができる。図２中には、ユーザがそのように判断した結果、前記貯湯式給湯機１の前記沸上運転が、前記沸上可能時間帯のうちの１１：００〜１３：００（以下適宜、「沸上時間帯」という）で実行されるように設定（詳細は後述）された場合を示している（黒色棒グラフ参照）。
【００６３】
＜電力挙動の他の例＞
なお、図２に示した例は、前記したように天気が晴れである（その結果、前記太陽光発電による発電が可能）場合の例である。これに対し、天気が雨又は曇り等（太陽による日射がほとんどない）である場合の例を図３に示す。この場合、図中の実線による折れ線グラフで示すように、太陽光発電装置３における発電電力量は、０：００〜８：００までほぼ０［ｋＷｈ］で推移し、日の出に伴ってわずかに上昇するが、９：００で０．１［ｋＷｈ］、１０：００では０．３［ｋＷｈ］、１１：００で０．５［ｋＷｈ］、１２：００での０．６［ｋＷｈ］を経た後の１３：００におけるピークでも０．７［ｋＷｈ］程度に留まる。その後は、太陽光発電装置３における発電電力量は、１４：００で０．６［ｋＷｈ］、１５：００で０．５［ｋＷｈ］、１６：００では０．３［ｋＷｈ］、１７：００で０．１［ｋＷｈ］となり、１８：００以降はそのまま２４：００までほぼ０［ｋＷｈ］となる。この結果、「太陽光発電装置３における発電電力量」−「電気負荷機器６における負荷使用電力量」で表される前記余剰電力の値は、図３に示すように、１２：００〜１４：００までの間でわずかに生じる程度であり、その最大値も０．２［ｋＷｈ］程度に留まる。このような場合、ユーザは、前記余剰電力による前記貯湯式給湯機１の前記沸上運転は不可能であると判断することができる。図３中は、ユーザがそのように判断した結果、前記貯湯式給湯機１は、太陽光発電による電力を用いず上記商用電源４９からの給電により、通常通り、電力料金単価が安価な夜間帯（この例では２３：００〜７：００）のうちの適宜の時間帯（この例では３：００〜７：００）において沸上運転が実行（以下適宜、単に「夜間沸上」という）されるように設定された場合を示している（黒色棒グラフ参照。詳細は後述）。
【００６４】
＜機能的構成＞
前記のような太陽光発電利用の沸上運転を円滑に行うために、本実施形態においては、前記制御装置３１に、図４に示す各機能部が設けられている。すなわち、図４に示すように、前記制御装置３１には、余剰沸上実行部３３Ａと、余剰沸上設定部３３Ｃと、余剰沸上制御部４０と、余剰沸上容量決定部３７と、使用湯量学習部３４と、必要熱量決定部３５と、夜間沸上容量算出部３６と、補正夜間沸上容量算出部３８と、夜間沸上制御部３９と、昼間沸増制御部４２とが設けられている。これら各機能部の詳細については、後ほど順を追って詳細に説明する。
【００６５】
また制御装置３１には、表示制御部３３Ｂが備えられている。ユーザは、例えばサーバ９から取得されて表示制御部３３Ｂの制御によりリモコン装置５０において表示される、公知の気象情報（例えば天気予報情報や日照時間情報等。以下適宜、単に「気象情報」という）、あるいは、この給湯システム外のスマートフォン・テレビ等の情報端末（不図示）において表示される公知の気象情報を確認する。そしてその気象情報に基づき、対象となる所定の連続期間にて、太陽光発電による電力を用いた沸上運転（以下適宜、「太陽光利用沸上運転」という）を行えるか否か、を判断する。なお、前記連続期間は、例えば後述の図６〜図９に示すフローによる制御手順が実行開始される所望日の翌日（以下適宜、単に「翌日」という）と、さらにその翌日（以下適宜、単に「翌々日」という）と、を含む複数日間であり、この例では前記翌日と前記翌々日との合計２日間である。
【００６６】
すなわち、ユーザは、例えば、前記気象情報に基づいて前記発電電力量の挙動を自ら推定するともに、その推定した発電電力量に対して前記負荷使用電力がどのような大小関係となり、その結果前記余剰電力の時間変動がどのようになるかを自ら推定する。そして、ユーザは、さらに、その推定した余剰電力量に対して前記装置使用電力がどのような大小関係となるかを推定し、余剰電力量が装置使用電力に対し十分大きければ前記太陽光利用沸上運転を行えると判断し、そうでなければ前記太陽光利用沸上運転を行えないと判断し、前記リモコン装置５０を用いて手動にて対応する各種設定を行う（詳細は後述）。なお、このような判断を順次行うか否かはユーザ次第であり、例えば前記気象情報により晴天であるか、最高温度が何度であるか、等のみに基づいてユーザの経験や勘によって前記各種設定を行う場合もあり得る。
【００６７】
＜リモコン装置＞
前記リモコン装置５０の詳細構成を図５に示す。図５において、リモコン装置５０は、画面表示部６０（表示手段に相当）と、前記貯湯タンク１０から浴槽内への湯張りや湯張り後の湯の保温等を自動的に行うための「ふろ自動」スイッチ７１と、浴室内との通話を行うための「通話」スイッチ７２と、スピーカ７３と、前記給湯温度等の各種数値の＋側−側の操作設定や前記画面表示部６０内のカーソルの上向き・左向き・下向き・横向き移動操作を行うための十字キー７４と、「メニュー／決定」スイッチ７５と、手動操作により前記沸上運転を行って貯湯タンク１０内の前記貯湯量を所定量だけ増大させるための「タンク湯増し」スイッチ７６と、貯湯タンク１０内の前記貯湯量が予め定められた前記しきい値以下に減少したときに前記昼間沸増容量を沸き上げる前記自動湯増し機能を、手動操作により（操作当日のみ）休止させる、「湯増し休止」スイッチ７７と、予め用意された「節約（ｅｃｏ）運転」等の複数の運転態様（詳細な説明は省略）の説明を含む各種ガイドを前記画面表示部６０に表示させるための「ｅｃｏガイド」スイッチ７８と、前記画面表示部６０に表示される表示画面を１つ前の表示画面に戻すための「戻る」スイッチ７９と、を有している。
【００６８】
画面表示部６０は、それぞれが所定の内容を表示する複数の表示画面を、切り替え可能に構成されている。図示の画面６０Ａは待機状態のときに表示されるものである（以下適宜、単に「待機画面６０Ａ」と称する）。この待機画面６０Ａでは、現在の日付及び時刻（この例では５月３１日金曜日の２２時３０分）を表示する日時表示部６１と、前記浴槽内の湯の設定温度（この例では４０℃）を表示するふろ温度表示部６２と、前記給湯設定温度（この例では４０℃）を表示する給湯温度表示部６３と、前記貯湯タンク１０内の前記貯湯量を表示する貯湯量表示部６４と、前記ネットワーク通信網８を介して前記サーバ９と接続されていることを表すネットワーク表示部６５と、前記複数の運転態様のうちいずれになっているか（この例では「おまかせ省エネ」運転。詳細は後述）を表す運転態様表示部６６と、を有している。
【００６９】
前記貯湯量表示部６４は、前記表示制御部３３Ｂの制御により、前記貯湯温度センサ１８の検出結果に対応して前記貯湯タンク１０内の前記貯湯量を表示する。図示の例では、前記貯湯量表示部６４は、５つの表示エレメント６４Ａ〜６４Ｃによって５段階に前記貯湯量を表示可能となっている。すなわち、前記貯湯タンク１０内のほぼ全てが前記十分に加熱された状態の湯となっている（前記貯湯量が満タンである）場合は、すべての前記表示エレメント６４Ａ，６４Ｂ，６４Ｃ，６４Ｄ，６４Ｅが点灯表示される。逆に、前記貯湯タンク１０内の前記貯湯量がほぼ空である場合は、すべての前記表示エレメント６４Ａ，６４Ｂ，６４Ｃ，６４Ｄ，６４Ｅが消灯され、この状態から前記貯湯量が徐々に増大するにつれて、下段の前記表示エレメント６４Ａから、表示エレメント６４Ｂ、表示エレメント６４Ｃ、表示エレメント６４Ｄ、表示エレメント６４Ｅの順で追加して点灯表示される。図示の例は、前記貯湯量が貯湯タンク１０内の全容量のうち１／５程度である状態を示しており、前記表示エレメント６４Ａ〜６４Ｅのうち最下段の表示エレメント６４Ａのみが点灯表示されるとともに、残りの４つの表示エレメント６４Ｂ，６４Ｃ，６４Ｄ，６４Ｅは消灯されている（図中では明確化のために破線にて表現している）。
【００７０】
ここで、図５に示す例では、家事や入浴時等の湯水の使用によって（前記日時表示部６１の２２時３０分の時刻表示参照）、貯湯タンク１０内の貯湯量が満タンの１／５程度にまで減少（前記貯湯量表示部６４の最下段の表示エレメント６４Ａのみが点灯）した場合を示している。
【００７１】
＜制御フロー＞
既に述べたように、本実施形態では、日照条件が良好な場合には、前記太陽光発電装置３で発電された電力を用いて前記沸上可能時間帯に沸上運転を行うことができる（前記図２参照）。日照条件があまり良好でない場合には、電力料金単価が安価な夜間帯（この例では２３：００〜７：００）に、前記商用電源４９から供給される電力を用いて、前記沸上運転を行う（前記図３参照）。この手法を実現するために、前記制御装置３１が実行する制御手順を、図６、図７、図８、及び図９のフローチャートにより説明する。なお、既に述べたように、このフローチャートが実行される日の翌日を適宜単に「翌日」と称しており、これに対応してこのフローチャートの実行される日を以下適宜、単に「当日」と称する。
【００７２】
まず図６において、ステップＳ２で、制御装置３１は、例えば前記余剰沸上実行部３３Ａにより、前記太陽光利用沸上運転が不可能である場合を表す沸上不能フラグＦを０に初期化する。
【００７３】
その後、ステップＳ５で、制御装置３１は、例えば前記余剰沸上実行部３３Ａにより、電力料金単価が安価な前記夜間帯（この例では当日２３：００〜翌日７：００。但し電力会社との契約内容による）の開始時刻（この例では２３：００。以下同様）となったか否かを判定する。夜間帯開始時刻となるまでは判定が満たされず（Ｓ５：ＮＯ）ループ待機し、夜間帯開始時刻となったら判定が満たされ（Ｓ５：ＹＥＳ）、ステップＳ２５に移る。
【００７４】
ステップＳ２５では、制御装置３１は、予め給湯流量センサ１６及び給湯温度センサ１７の検出結果に対応して前記使用湯量学習部３４で学習済みの過去所定期間の日毎の学習湯量に基づき、前記必要熱量決定部３５により、平均や標準偏差等を用いた公知の手法を用いて前記翌日における必要熱量を決定（算出）する。なお、この必要熱量は、所定温度（例えば４３［℃］）換算の必要湯量として算出しても良い。
【００７５】
その後、ステップＳ３０で、制御装置３１は、前記必要熱量決定部３５により、前記ステップＳ２５で決定した前記必要湯量と、例えば前記外気温度センサ３０の検出結果に対応して公知の手法で予測される前記翌日の外気温度（あるいは前記給水温度等の他の条件でもよい）と、から、前記沸上目標温度を決定する。なお、この沸上目標温度は、例えば６５［℃］〜７５［℃］の間でなるべく低く設定されるが、特に前記必要湯量が多い場合や、前記外気温度が低い場合や、前記給水温度が低い場合には（それ以外の場合に比べ）高めに設定される。
【００７６】
そして、ステップＳ３５で、制御装置３１は、前記夜間沸上容量算出部３６により、前記ステップＳ３０で決定された前記必要熱量を前記沸上目標温度と給水温度との温度差で除して前記必要容量に換算し、夜間沸上を行うときの夜間沸上容量とする。なお、このようにして算出した算出した必要容量が前記貯湯タンク１０の容量を超えている場合には、当該貯湯タンク１０の容量を前記夜間沸上容量としても良い。その後、ステップＳ４０に移る。
【００７７】
ステップＳ４０では、制御装置３１は、前記余剰沸上実行部３３Ａにより、前記リモコン装置５０を介したユーザの操作によって、前記太陽光利用沸上運転の実行が設定（選択）されたか（詳細は後述）否か、を判定する。前記実行が選択されていなかった（不実行が選択されていた）場合は判定が満たされず（Ｓ４０：ＮＯ）、後述のステップＳ４６に移る。前記実行が選択されていた場合は判定が満たされ（Ｓ４０：ＹＥＳ）、ステップＳ４２に移る。
【００７８】
ステップＳ４２では、制御装置３１は、前記余剰沸上設定部３３Ｃにより、前記リモコン装置５０を介したユーザの操作によって設定（選択）された（詳細は後述）、実際に前記太陽光利用沸上運転を開始する余剰沸上開始時間（ここでは一例として１１：００が設定されているとする）を取得する。その後、ステップＳ４５に移る。
【００７９】
ステップＳ４５では、制御装置３１は、前記余剰沸上容量決定部３７により、前記ステップＳ４２で決定された前記余剰沸上開始時間から、貯湯式給湯機１が、前記ヒートポンプ装置１９の所定の加熱能力の大きさで前記沸上目標温度まで沸き上げる前記余剰沸上容量を決定する。この例では、この余剰沸上容量は固定値（例えば１００Ｌ）に設定されるが、適宜の操作によりユーザが可変に設定するようにしてもよい。なお、前記余剰沸上容量を前記固定値とする場合は、以下のような技術的意義がある。すなわち、ユーザが可変に設定する手法とした場合、例えば翌日の日照条件が非常に良いとユーザが予想（判断）して太陽光利用沸上運転による前記余剰沸上容量をかなり多め（例えば貯湯タンク１０内の容量の大部分）に設定する場合があり得る。この場合、その多めの設定により、夜間帯における夜間沸上容量は極めて少なくなるため、太陽光利用沸上運転の当日の朝には、貯湯タンク１０内の大部分が未加熱水となる。その結果、例えば前記当日の午前中（太陽光利用沸上運転が始まる前）において、臨時の家事や入浴・シャワー等に湯水を使用したい場合に貯湯タンク１０内の貯湯量が足りなくなる恐れがある。あるいは、前記予想とは異なり当日の日照条件があまりよくなかった場合には、太陽光利用沸上運転により生成される加熱水の量が不足し、最も湯水が消費される前記当日の夕方以降において前記同様に貯湯タンク１０内の貯湯量が足りなくなる恐れもある。
【００８０】
これに対して、前記のように例えば前記余剰沸上容量を固定値とする場合、その数値をある程度の値（例えば１００Ｌ等にとどめる）として余剰沸上に対する制限値とするすることにより、夜間帯における前記夜間沸上容量を、少なくても、貯湯タンク１０内の全容量−１００Ｌとすることができる（前記全容量が２００Ｌである場合には、２００−１００＝１００Ｌとなる）。この結果、前記と異なり、前記当日の午前中（太陽光利用沸上運転が始まる前）においても、最低限の貯湯量を確保することができるので、前記貯湯量の不足による弊害を回避することができる。またこの固定値をあまり少なくすると、太陽光による発電の有効活用の点から無駄が多くなってしまう。前記のように例えば１００Ｌとすることで、夜間帯における前記夜間沸上容量と昼間帯における前記余剰沸上容量との絶妙なバランスをとりつつ、前記太陽光による発電の有効活用と前記貯湯量の不足による弊害回避との両方を図ることができるものである。
【００８１】
そして、ステップＳ５０で、制御装置３１は、前記補正夜間沸上容量算出部３８により、前記ステップＳ３５で算出された前記夜間沸上容量から、前記ステップＳ４５で決定された余剰沸上容量を差し引いて、実際に前記夜間帯に沸き上げる前記補正夜間沸上容量を算出する。その後、後述のステップＳ５５に移る。
【００８２】
一方、前記ステップＳ４０での判定が満たされず移行したステップＳ４６では、制御装置３１は、例えば前記補正夜間沸上容量算出部３８により、前記沸上不能フラグＦを、前記太陽光利用沸上運転が不可能である場合を表す１とする。その後、ステップＳ５５に移る。
【００８３】
ステップＳ５５では、制御装置３１は、前記夜間沸上制御部３９により、前記複数の貯湯温度センサ１８の検出結果に基づき、前記貯湯タンク１０のうち、十分に加熱された状態でお湯とみなせる貯湯量の容量（残湯容量）を算出する。
【００８４】
その後、ステップＳ６０で、制御装置３１は、夜間沸上制御部３９により、夜間沸上の開始時刻を算出する。すなわち、前記ステップＳ４０の判定が満たされ（Ｓ４０：ＹＥＳ）、ステップＳ４２〜ステップＳ５０及びステップＳ５５を経てステップＳ６０に移行していた場合は、前記夜間沸上制御部３９により、前記ステップＳ５０で算出された前記補正夜間沸上容量から前記ステップＳ５５で算出した残湯容量を減算した容量を沸き上げるのに必要な沸き上げ時間を算出し、前記夜間帯の終了時刻（例えば７：００）に沸上完了するのに適切な（例えば、前記夜間帯終了時刻から前記必要な沸上時間を差し引くことで）、前記夜間沸上開始時刻を算出する。
【００８５】
一方、前記ステップＳ４０の判定が満たされず（Ｓ４０：ＮＯ）、ステップＳ４６及びステップＳ５５を経てステップＳ６０に移行していた場合は、前記夜間沸上制御部３９により、前記ステップＳ３５で算出した前記夜間沸上容量から前記ステップＳ５５で算出した残湯容量を減算した容量を沸き上げるのに必要な沸き上げ時間を算出し、前記夜間帯の終了時刻（例えば７：００）に沸上完了するのに適切な（例えば、前記夜間帯終了時刻から前記必要な沸上時間を差し引くことで）夜間沸上開始時刻を算出する。
【００８６】
そして、図７のステップＳ６２に移り、制御装置３１は、前記夜間沸上制御部３９により、この時点での時刻（現在時刻）がステップＳ６０で算出した夜間沸上開始時刻となったか否かを判定する。夜間沸上開始時刻となっていなければ判定が満たされず（Ｓ６２：ＮＯ）ループ待機し、前記現在時刻が前記夜間沸上開始時刻となっていたら判定が満たされ（Ｓ６２：ＹＥＳ）、ステップＳ２００に移る。
【００８７】
ステップＳ２００では、制御装置３１は、前記夜間沸上制御部３９による夜間沸上処理を行う。このステップＳ２００の詳細手順を図８に示す。
【００８８】
図８において、まずステップＳ２１５で、制御装置３１は、前記夜間沸上制御部３９により、前記貯湯式給湯機１の前記ヒートポンプ装置１９（詳細には、前記圧縮機２０、前記送風機２４、前記加熱循環ポンプ２８等）を制御し、前記貯湯タンク１０の下部から取り出した水を前記ステップＳ３０で決定した前記沸上目標温度まで加熱して貯湯タンク１０の上部から順次積層させる、夜間沸上運転を開始する。
【００８９】
その後、ステップＳ２１６で、制御装置３１は、前記夜間沸上制御部３９により、前記のようにして夜間沸上運転が開始された後、前記ステップＳ５０で算出した前記補正夜間沸上容量（又はステップＳ４０の判定が満たされていないときはステップＳ３５で算出した夜間沸上容量）を沸き上げたことが前記貯湯温度センサ１８により検出されたか否か、を判定する。前記補正夜間沸上容量（又は夜間沸上容量）を沸き上げていない場合は判定が満たされず（Ｓ２１６：ＮＯ）、ステップＳ２１８に移る。
【００９０】
ステップＳ２１８では、制御装置３１は、前記夜間沸上制御部３９により、前記ヒートポンプ装置１９を制御し、前記ステップＳ２１５で開始した夜間沸上運転を停止する。このとき、貯湯タンク１０の下部には、前記ステップＳ４５で算出した余剰沸上容量と同じ容量だけ、未加熱水が残ることとなる（ステップＳ４０の判定が満たされた場合）。その後、図７に戻り、ステップＳ７１に移る。
【００９１】
ステップＳ７１では、制御装置３１は、前記沸上不能フラグＦが１であるか否か、すなわち前記余剰電力による前記太陽光利用沸上運転の不実行が選択されているか否かを判定する。Ｆ＝１であれば判定が満たされ（Ｓ７１：ＹＥＳ）、後述のステップＳ９６に移る。Ｆ＝０のままであれば判定が満たされず（Ｓ７１：ＮＯ）、ステップＳ７２に移る。
【００９２】
ステップＳ７２では、制御装置３１は、前記夜間帯の終了時刻（この例では７：００）となったか否かを判定する。夜間帯終了時刻となっていなければ判定が満たされず（Ｓ７２：ＮＯ）ループ待機し、夜間帯終了時刻となっていたら判定が満たされ（Ｓ７２：ＹＥＳ）、ステップＳ３００に移る。
【００９３】
ステップＳ３００では、制御装置３１は、前記余剰沸上制御部４０による余剰沸上処理を行う。このステップＳ３００の詳細手順を図９に示す。
【００９４】
図９において、まずステップＳ３２０で、制御装置３１は、前記余剰沸上制御部４０により、この時点での時刻（現在時刻）が前記ステップＳ４２で決定した太陽光利用沸上運転の開始時刻（余剰沸上開始時刻。前述の例では１１：００）となったか否かを判定する。余剰沸上開始時刻となるまでは判定が満たされず（Ｓ３２０：ＮＯ）、ループ待機する。余剰沸上開始時刻となっていたら判定が満たされ（Ｓ３２０：ＹＥＳ）、ステップＳ３２２に移る。
【００９５】
ステップＳ３２２では、制御装置３１は、前記余剰沸上制御部４０により、前記貯湯式給湯機１の前記ヒートポンプ装置１９（詳細には、前記圧縮機２０、前記送風機２４、前記加熱循環ポンプ２８等）を制御し、前記貯湯タンク１０の下部から取り出した水を前記ステップＳ３０で決定した前記沸上目標温度まで加熱して貯湯タンク１０の上部から順次積層させる、太陽光利用沸上運転（余剰沸上運転）を開始する。
【００９６】
その後、ステップＳ３２４で、制御装置３１は、前記余剰沸上制御部４０により、前記のようにして太陽光利用沸上運転が開始された後、ステップＳ４５で算出した前記余剰沸上容量を沸き上げたことが前記貯湯温度センサ１８により検出されたか否かを判定する。前記余剰沸上容量を沸き上げた場合は判定が満たされ（Ｓ３２４：ＹＥＳ）、ステップＳ３２６に移る。
【００９７】
ステップＳ３２６では、制御装置３１は、前記余剰沸上制御部４０により、前記ヒートポンプ装置１９を制御し、前記ステップＳ３２２で開始した余剰沸上運転を停止する。その後、図７に戻り、ステップＳ９６に移る。
【００９８】
ステップＳ９６では、制御装置３１は、前記昼間沸増制御部４２により、この時点での時刻（現在時刻）が前記昼間帯（例えば７：００〜２３：００）の終了時刻（例えば２３：００）となったか否かを判定する。昼間帯終了時刻となっていれば判定が満たされ（Ｓ９６：ＹＥＳ）、図６に示した前記ステップＳ２に戻り、同様の手順を繰り返す。前記昼間帯終了時刻となっていなければ判定が満たされず（Ｓ９６：ＮＯ）、ステップＳ９２に移る。
【００９９】
ステップＳ９２では、制御装置３１は、前記昼間沸増制御部４２により、例えば貯湯タンク１０の最上部の貯湯温度センサ１８が所定の湯切れ危険温度以下にまで低下したか否かを判定する。前記湯切れ危険温度より高い温度であればステップＳ９２の判定が満たされず（Ｓ９２：ＮＯ）、前記ステップＳ９６に戻って同様の手順を繰り返す。前記湯切れ危険温度以下であればステップＳ９２の判定が満たされて（Ｓ９２：ＹＥＳ）湯切れ状態であるとみなされ、ステップＳ９４へ移行する。
【０１００】
ステップＳ９４では、制御装置３１は、前記昼間沸増制御部４２により、前記ヒートポンプ装置１９を制御し、前記湯切れを解消するための所定時間（例えば１時間）の定量沸増運転を行う。その後、前記ステップＳ９６に戻って同様の手順を繰り返す。
【０１０１】
＜第１実施形態の特徴１〜リモコン装置の設定画面＞
以上説明した基本構成及び動作において、本実施形態の特徴の１つは、前記太陽光利用沸上運転を行うための、前記リモコン装置５０での設定及び表示の態様にある。以下、その詳細を順を追って説明する。
【０１０２】
図５を用いて前述したように、リモコン装置５０の画面表示部６０は、常には前記待機状態にあって、前記待機画面６０Ａが表示されている。この状態から前記「メニュー／決定」スイッチ７５が操作されることで、前記画面表示部６０の表示が図示しないメインメニュー画面へ移行し、さらに「メニュー／決定」スイッチ７５等の適宜の操作が行われることで、図１０（ａ）に示す設定画面６０Ｂへ移行する。
【０１０３】
この設定画面６０Ｂでは、貯湯式給湯機１における複数の運転モード（この例では通常の「運転モード」と「ソーラーモード」）を選択可能に表示する運転モード表示部１６１と、メッセージ表示部１６２と、を有している。
【０１０４】
運転モード表示部１６１に表示される前記「ソーラーモード」は、前記太陽光利用沸上運転を行うためのモードであり、前記のように日照条件が良好である場合にユーザがこのモードを選択することで、太陽光発電装置３で発電された電力を用いて貯湯タンク１０内の湯水を加熱することができる。前記「運転モード」は、前記必要熱量を必要最小限にする「おまかせ省エネ」モードや、前記必要熱量を「おまかせ省エネ」モードに比べて多めにする「おまかせ」モードのいずれか選択して設定することができる。メッセージ表示部１６２には、「運転モード」におけるこのような２つのモードの違いに対応して、「使用するお湯の量に合わせて、運転モードが変更できます。」のメッセージが表示されている。
【０１０５】
この図１０（ａ）に示す状態から、前記ソーラーモードを選択するために、ユーザが前記十字キー７４を下向きに操作し画面内のカーソルＫを下方へ１段移動させた状態を図１０（ｂ）に示す。図１０（ｂ）に示すように、この設定画面６０Ｃでは、前記操作に対応して運転モード表示部１６１において前記カーソルＫが「ソーラーモード」の位置に移動している。そして、これに対応して、メッセージ表示部１６２には、「ソーラーモードの設定を行います。夜間帯開始前に設定を行ってください。」のメッセージが表示されている。
【０１０６】
この図１０（ｂ）に示す状態から、ユーザが前記「メニュー／決定」スイッチ７５による決定操作を行った状態を図１１（ａ）に示す。図１１（ａ）に示すように、この設定画面６０Ｄでは、前記太陽光利用沸上運転の実行・不実行を設定可能な日付を表示する日付表示部１６３と、設定内容表示部１６４と、を有している。
【０１０７】
日付表示部１６３には、所定の表示日を含み複数日数分（この例では２日分）の日付（＝日付表記）が表示される。リモコン装置５０に対する前記した操作が行われている操作日において、操作したタイミングが１７：００よりも前であれば前記表示日は当該操作日となり、１７：００以降であれば前記表示日は当該操作日の翌日となる（後述の図１６（ａ）も参照）。図１１（ａ）では、リモコン装置５０が９月１４日の１７：００以降に操作されている場合を表しており、日付表示部１６３には、その操作日である９月１４日の翌日である９月１５日（土曜日）と、さらにその翌日である９月１６日（日曜日）と、の２日分の日付が表示されている。このとき、前記１７：００は、太陽光発電装置３での発電が十分な状態が維持できる限界とみなせる時間（言い換えれば発電が十分な状態から不足状態に陥ると想定される時間）の一例である。この例では、それら２日間のうち９月１５日のほうにカーソルＫが位置している（９月１５日が選択されている）状態である。なお、図示を省略するが、９月１４日のうち１７：００より前の時刻では、日付表示部１６３には、その操作日である９月１４日（金曜日）と、その翌日である９月１５日（土曜日）と、の２日分の日付が表示されることとなる（後述の図１６（ａ）参照）。
【０１０８】
設定内容表示部１６４には、前記太陽光利用沸上運転を実行可能なソーラーモードであることを表す「ソーラーモード」表記と、カーソルＫが位置している期日について前記太陽光利用沸上運転の実行・不実行のいずれかが設定されていることを表す「する」表記（実行が設定されている場合）若しくは「しない」表記（不実行が設定されている場合）と、前記太陽光利用沸上運転の実行時にその運転開始時刻を表す「開始」表記と、その開始時刻の表記（設定されている場合）若しくは「−」表記（設定されていない場合）と、等が表示される。図示の例では、前記太陽光利用沸上運転の不実行の設定に対応し、前記「ソーラーモード」及び前記「開始」表記のほかには、前記「しない」表記と前記「−」表記とが表示されている。
【０１０９】
本実施形態では、先の前記ステップＳ４０においても前述したように、日付表示部１６３に表示される日付それぞれについて、前記太陽光利用沸上運転（言い換えればソーラーモードによる運転。以下同様）の実行・不実行を個別に設定することができる。９月１５日における設定を行うために、図１１（ａ）に示すカーソルＫの状態でユーザが前記「メニュー／決定」スイッチ７５により決定操作を行った状態を、図１１（ｂ）に示す。図１１（ｂ）に示すように、この設定画面６０Ｅでは、「９／１５（土）の動作を設定します」のメッセージが表示されるメッセージ表示部１６５と、図１１（ａ）の前記設定内容表示部１６４に対応する設定内容表示部１６６と、を有している。設定内容表示部１６６では、前記同様の、「ソーラーモード」表記と、「する」表記及び「しない」表記と、「開始」表記及び「−」表記と、等が表示されている。なお、この状態では、前記カーソルＫが、前記「する」表記及び前記「しない」表記のうち「しない」表記に位置し、前記太陽光利用沸上運転を行わない（すなわち不実行の）選択となっている。
【０１１０】
この図１１（ｂ）に示す状態から、前記太陽光利用沸上運転の実行を選択するために、ユーザが前記十字キー７４を上向きに１回操作し画面内のカーソルＫを上方へ移動させた状態を図１２（ａ）に示す。図１２（ａ）に示すように、この設定画面６０Ｆにおいて、前記操作に対応し、カーソルＫが、前記太陽光利用沸上運転の実行を表す「する」表記に移動している。
【０１１１】
この図１２（ａ）に示す状態から、前記太陽光利用沸上運転の開始時間を設定するために、ユーザが前記十字キー７４を右向きに１回操作し画面内のカーソルＫを右方へ移動させた状態を図１２（ｂ）に示す。図１２（ｂ）に示すように、この設定画面６０Ｇにおいて、前記操作に対応し、カーソルＫが、前記「開始」表記に位置している。
【０１１２】
この図１２（ｂ）に示す状態から、ユーザが前記「メニュー／決定」スイッチ７５による決定操作を行った状態を図１３（ａ）に示す。図１３（ａ）に示すように、この設定画面６０Ｈでは、前記開始時刻として設定可能な開始時刻候補が一覧表示される。具体的には、前記夜間帯の終了時刻（前述の例では７：００）以降の第２所定時刻（この例では例えば７：００。図示省略）から、所定の第３所定時刻（この例では図示の１５：００）までの時間範囲において、複数の開始時刻候補「７時」「８時」「９時」「１０時」「１１時」「１２時」「１３時」「１４時」「１５時」が表示される（一部不図示）。なお、図示のように設定画面６０Ｈに被さるようなポップアップ形式や割り込みウィンドウ形式で各開始時刻候補を一覧表示する手法でなく、もとの設定画面６０Ｈの表示（例えば図１２（ｂ）参照）のまま前記十字キー７４を上下に操作することで、画面内に前記「−」表記に代えて前記開始時刻候補「７時」「８時」「９時」「１０時」「１１時」「１２時」「１３時」「１４時」「１５時」が１つずつずれて順次表示されるようにしてもよい。なお、前記第３所定時刻は、前記第１所定時刻（前述の例では１７：００）よりも早い時刻に予め設定されており、この例では特に、前記第１所定時刻（１７：００）との時間偏差が、前記太陽光利用沸上運転に要する所要時間以上となるように、設定されている。本実施形態では、前述したように前記太陽光利用沸上運転において沸き上げる前記余剰沸上容量が１００Ｌに固定されており、この容量の沸き上げに要する時間が約２時間であると見込まれることから、前記時間偏差を２時間として、前記第３所定時刻は、前記第１所定時刻（１７：００）よりも２時間前の１５：００に設定されている。なお、前記設定画面６０Ｈにおいて、予め適宜に定められた開始時刻候補（例えば「１２：００」）をデフォルトで選択された状態として表示してもよい。あるいは、前回設定時の開始時刻をデフォルトで選択された状態として表示するようにしてもよい。
【０１１３】
この図１３（ａ）に示す状態から、ユーザが前記十字キー７４及び前記「メニュー／決定」スイッチ７５の操作により、前記開始時刻を１１時に設定（選択）した状態を図１３（ｂ）に示す。図１３（ｂ）に示すように、この設定画面６０Ｉでは、前記設定内容表示部１６６において、これまでの前記操作に対応して、前述の「ソーラーモード」表記、「する」表記、及び「開始」表記と、（前記「−」表記に代わる）前記太陽光利用沸上運転が１１：００に開始されることを表す「１１時」表記と、が表示される。
【０１１４】
この図１３（ｂ）に示す状態で、ユーザが前記「メニュー／決定」スイッチ７５の操作を行うと、前記画面表示部６０の表示は、前記図１１（ａ）に示した設定画面６０Ｄに戻る（但し前記「しない」表記に代えて「する」表記が表示されると共に、前記「−」表記に代えて「１１時」表記が表示される。図示省略）。この操作時に、前記スピーカ７３により、「設定されました」あるいは「９月１５日の設定が完了しました」等の音声を発声するようにしてもよい。
【０１１５】
なお、以上の操作に対応した、９月１５日において太陽光利用沸上運転を実行する旨の設定、及び、その開始時刻を１１：００とする設定は、前記ステップＳ４０やステップＳ４２で説明したように、前記余剰沸上実行部３３Ａ及び前記余剰沸上設定部３３Ｃにより受け付けられ、その設定内容に基づきステップＳ４０及びステップＳ４２以降の前述した制御に反映される。
【０１１６】
前記設定画面６０Ｄが表示された状態において、ユーザは、前記した９月１５日の設定と同様の手法で、９月１６日における各種設定を行うことができる。すなわち、ユーザが前記十字キー７４を下向きに１回操作し画面内のカーソルＫを下方へ移動させると、図１４（ａ）に示すように、前記同様の日付表示部１６３及び設定内容表示部１６４を備えた設定画面６０Ｊが前記画面表示部６０に表示される。
【０１１７】
この状態でユーザが前記「メニュー／決定」スイッチ７５を操作すると、図１４（ｂ）に示すように、前記同様の「９／１６（日）の動作を設定します」のメッセージが表示されるメッセージ表示部１６５と設定内容表示部１６６とを備えた設定画面６０Ｋが表示される。その後、前記同様にユーザが前記十字キー７４を上向きに１回操作することで図１５（ａ）の設定画面６０Ｌに示すようにカーソルＫが「する」表記に移動し、さらに前記十字キー７４でカーソルＫを右方へ移動させて前記「メニュー／決定」スイッチ７５で決定操作し、前記同様の開始時刻候補の一覧表示（図示省略）の中から開始時刻を設定（選択）した状態を図１５（ｂ）に示す。
【０１１８】
図１５（ｂ）に示すように、この設定画面６０Ｍでは、前記設定内容表示部１６６において、これまでの操作に対応して、前述の「ソーラーモード」表記、「する」表記、及び「開始」表記と、前記太陽光利用沸上運転の開始時刻を表す表記（この例では開始時刻１４：００に対応した「１４時」表記）と、が表示されている。前記同様、この図１５（ｂ）に示す状態で前記「メニュー／決定」スイッチ７５の操作が行われることで、前記画面表示部６０の表示は、前記図１１（ａ）に示した設定画面６０Ｄに戻る。この操作時にも、前記同様、前記スピーカ７３により、「設定されました」あるいは「９月１６日の設定が完了しました」等の音声を発声するようにしてもよい。
【０１１９】
なお、前記同様、以上の操作に対応した、９月１６日において太陽光利用沸上運転を実行する旨の設定、及び、その開始時刻を１４：００とする設定は前記余剰沸上実行部３３Ａ及び前記余剰沸上設定部３３Ｃにより受け付けられ、前記ステップＳ４０及びステップＳ４２以降の制御に反映される。
【０１２０】
また、以上説明した図５及び図１０〜図１５に示した画面表示部６０の画面遷移は、前記表示制御部３３Ｂによる制御によって行われる。
【０１２１】
＜各種処理を表すタイムテーブル＞
リモコン装置５０の画面表示部６０に表示される前記設定画面６０Ｂ〜６０Ｍにおいて説明した、前記した日付表示部１６３において表示される複数日数分（この例では２日分）の日付表記の一例を、図１６に示すタイムテーブルのうち図１６（ａ）に示す。
【０１２２】
＜日付表示＞
前述したように、日付表示部１６３には、所定の表示日を含み複数日数分の日付が表示され、リモコン装置５０の操作したタイミングが１７：００よりも前であれば前記表示日がその操作日となる一方、１７：００以降であれば前記表示日は当該操作日の翌日となる。したがって、図１６（ａ）に一例として示すように、９月１４日（金曜日）のうち１７：００より前は日付表示部１６３には「９／１４」「９／１５」の両日が表示される。そして、９月１４日（金曜日）のうち１７：００以降になると日付表示部１６３には「９／１５」「９／１６」の両日が表示されるようになり、９月１５日（土曜日）の１７：００より前まで、この表示内容となる。その後、９月１５日（土曜日）のうち１７：００以降になると同様に日付表示部１６３には「９／１６」「９／１７」の両日が表示されるようになり、９月１６日（日曜日）の１７：００より前まで、この表示内容となる。さらにその後、９月１６日（日曜日）のうち１７：００以降になると同様に日付表示部１６３には「９／１７」「９／１８」の両日が表示されるようになり、以降、同様の表示態様が繰り返される。
【０１２３】
＜各日付の設定可否＞
一方、上記図１６（ａ）に示す前記日付表示部１６３での日付表示に対応し、当該日付表示にカーソルＫが位置する状態で「メニュー／決定」スイッチ７５を操作して行う、当該日付における前記太陽光利用沸上運転（ソーラーモードによる運転）の実行・不実行の設定（前記「する」「しない」の選択）の可否の一例を、図１６に示すタイムテーブルのうち図１６（ｂ）に示す。
【０１２４】
図１６（ａ）を用いて前記したように、９月１４日（金曜日）のうち１７：００より前は、日付表示部１６３には「９／１４」「９／１５」の両日が表示される。しかしながら、その際、日付表示部１６３に表示される前記両日のうち、操作日当日である「９／１４」については、前記実行・不実行の設定（カーソルＫが位置する状態での「メニュー／決定」スイッチ７５の決定操作）を行うことはできない（＝言い換えれば余剰沸上実行部３３Ａにより受け付けられない。以下同様）。操作日の翌日である「９／１５」については、前記したように実行・不実行の設定（カーソルＫが位置する状態での「メニュー／決定」スイッチ７５の決定操作）を行うことができる。
【０１２５】
また、前記したように、９月１４日（金曜日）のうち１７：００以降は、日付表示部１６３には前記操作日の翌日「９／１５」とその翌日「９／１６」の両日が表示される。そして、１７：００以降で、かつ、（夜間帯の開始時刻である）２３：００より前までは、日付表示部１６３に表示される前記両日について、前記したように実行・不実行の設定（カーソルＫが位置する状態での「メニュー／決定」スイッチ７５の決定操作）を行うことができる。しかしながら、９月１４日（金曜日）のうち２３：００以降となると、翌日である「９／１５」について、前記実行・不実行の設定（カーソルＫが位置する状態での「メニュー／決定」スイッチ７５の決定操作）を行うことはできなくなる。
【０１２６】
その後、日付が変わり９月１５日（土曜日）となると、前記したように１７：００より前までは、引き続き、日付表示部１６３には「９／１５」「９／１６」の両日が表示され、当日である「９／１５」について前記実行・不実行の設定（カーソルＫが位置する状態での「メニュー／決定」スイッチ７５の決定操作）を行えない一方、翌日である「９／１６」については、前記実行・不実行の設定（カーソルＫが位置する状態での「メニュー／決定」スイッチ７５の決定操作）を行うことができる。
【０１２７】
９月１５日（土曜日）のうち１７：００以降は、前記同様、日付表示部１６３には前記操作日の翌日「９／１６」とその翌日「９／１７」の両日が表示され、１７：００以降でかつ２３：００より前までは前記両日について、前記実行・不実行の設定を行うことができる。９月１５日（土曜日）のうち２３：００以降となると翌日「９／１６」について前記実行・不実行の設定ができなくなる。その後９月１６日（日曜日）の１７：００より前までは、引き続き、日付表示部１６３には「９／１６」「９／１７」の両日が表示され、当日「９／１６」について前記実行・不実行の設定を行えない一方、翌日「９／１７」については、前記実行・不実行の設定を行うことができる。さらにその後１７：００以降になると前記同様に日付表示部１６３には「９／１７」「９／１８」の両日が表示されるようになり、２３：００より前までは前記両日について前記実行・不実行の設定を行うことができる。以降、同様の処理態様が繰り返される。
【０１２８】
＜設定のキャンセル可否＞
ここで、本実施形態においては、前記余剰沸上実行部３３Ａは、前記のようにして受け付けた、前記各日付における前記太陽光利用沸上運転（ソーラーモードによる運転）の実行・不実行の設定を、その後のリモコン装置５における適宜の操作（詳細な説明及び図示は省略）によって個別に取り消すことができる。その取り消し（以下適宜、「設定キャンセル」又は「キャンセル」という）操作の可否の一例を、図１６に示すタイムテーブルのうち図１６（ｃ）に示す。
【０１２９】
図１６（ｂ）を用いて前記したように、９月１４日（金曜日）のうち１７：００より前は、操作日の翌日である「９／１５」について前記実行・不実行の設定を行うことができる。これに対応して、図１６（ｃ）に示すように、当該１７：００より前において、翌日「９／１５」について前記実行・不実行の設定キャンセルを行うことができる。
【０１３０】
その後、９月１４日（金曜日）のうち１７：００以降でかつ（夜間帯の開始時刻である）２３：００より前までは、翌日「９／１５」及びその翌日「９／１６」の両日について前記したように実行・不実行の設定を行うことができる。これに対応して、図１６（ｃ）に示すように、当該１７：００以降２３：００より前において、それら「９／１５」「９／１６」について前記実行・不実行の設定キャンセルを行うことができる。
【０１３１】
その後、前記したように、９月１４日（金曜日）の２３：００以降９月１５日（土曜日）の１７：００より前までは、「９／１６」について前記したように実行・不実行の設定を行うことができる。このとき、図１６（ｃ）に示すように、当該９月１４日（金曜日）の２３：００以降９月１５日（土曜日）１７：００より前においては、前記「９／１６」のみならず、「９／１５」についても、前記実行・不実行の設定キャンセルを行うことができる。すなわち、９月１５日についての設定は、その９月１５日当日となってからでもキャンセルを行うことができる。但しこの際、その当日（ここでは９月１５日）に前記太陽光利用沸上運転の前記実行が選択されていた場合、その当日すなわち太陽光利用沸上運転の実行日の当該太陽光利用沸上運転が終了する時刻以降は、前記設定キャンセルを行うことはできない（＝言い換えれば余剰沸上実行部３３Ａにより受け付けられない。以下同様）。図示の例では、９月１５日（土曜日）については、１１：００に前記太陽光利用沸上運転が開始される（すなわち前記したようにこの場合２時間後の１５：００に太陽光利用沸上運転が終了する）設定となっていることから、９月１５日（土曜日）の１５：００以降は、当該「９／１５」についての前記実行の設定キャンセルを行うことができなくなる。
【０１３２】
その後、前記同様、９月１５日（土曜日）のうち１７：００以降でかつ２３：００より前までは、「９／１６」及び「９／１７」の両日について前記実行・不実行の設定可能であることに対応し、図１６（ｃ）に示すように、それら「９／１６」「９／１７」について前記実行・不実行の設定キャンセルを行うことができる。
【０１３３】
またその後、前記同様、前記したように、９月１５日（土曜日）の２３：００以降９月１６日（日曜日）の１７：００より前まで「９／１７」について前記実行・不実行の設定可能であることに対応し、図１６（ｃ）に示すように、当該時間範囲においては、「９／１７」及び「９／１６」について前記実行・不実行の設定キャンセルを行うことができる。但しその際、前記同様、その当日（ここでは９月１６日）に前記太陽光利用沸上運転の前記実行が選択されていた場合、前記実行日である９月１６日（日曜日）の太陽光利用沸上運転の終了時刻以降は前記設定キャンセルを行えない。図示の例では、９月１６日（日曜日）について１４：００に前記太陽光利用沸上運転が開始される（すなわち２時間後の１６：００に太陽光利用沸上運転が終了する）設定であることから、９月１６日（日曜日）の１６：００以降は、当該「９／１６」についての前記実行の設定キャンセルを行うことができなくなる。
【０１３４】
さらにその後９月１６日（日曜日）の１７：００以降になると前記同様に「９／１７」「９／１８」の両日について前記実行・不実行の設定可能であることに対応し、それら両日についての前記実行・不実行の設定キャンセルを行うことができる。以降、同様の処理態様が繰り返される。
【０１３５】
＜太陽光利用沸上運転の開始時刻の変更可否＞
さらに、本実施形態においては、前記余剰沸上設定部３３Ｃは、前記のようにして受け付けた、前記各日付における前記太陽光利用沸上運転（ソーラーモードによる運転）の開始時刻の設定を、その後のリモコン装置５における適宜の操作（詳細な説明及び図示は省略）によって各期日について個別に変更することができる。その時刻変更操作の可否の一例を、図１６に示すタイムテーブルのうち図１６（ｄ）に示す。
【０１３６】
図１６（ｂ）等を用いて前記したように、９月１４日（金曜日）のうち１７：００より前は、操作日の翌日である「９／１５」について前記実行・不実行の設定を行うことができる（前記実行を設定した場合は前記開始時刻の設定を行うこともできる）。これに対応して、図１６（ｄ）に示すように、当該１７：００より前において、翌日「９／１５」について前記開始時刻の変更（以下適宜、単に「時刻変更」という）を行うことができる。
【０１３７】
その後、９月１４日（金曜日）のうち１７：００以降でかつ（夜間帯の開始時刻である）２３：００より前までは、翌日「９／１５」及びその翌日「９／１６」の両日について前記したように実行・不実行の設定を行うことができる。これに対応して、図１６（ｄ）に示すように、当該１７：００以降２３：００より前において、それら「９／１５」「９／１６」について前記時刻変更を行うことができる。
【０１３８】
その後、前記したように、９月１４日（金曜日）の２３：００以降９月１５日（土曜日）の１７：００より前までは、「９／１６」について前記したように実行・不実行の設定を行うことができる。このとき、図１６（ｄ）に示すように、当該９月１４日（金曜日）の２３：００以降９月１５日（土曜日）１７：００より前においては、前記「９／１６」のみならず、「９／１５」についても、前記時刻変更を行うことができる。すなわち、９月１５日についての設定は、その９月１５日当日となってからでも前記時刻変更を行うことができる。但しこの際、その当日（ここでは９月１５日）に前記太陽光利用沸上運転の前記実行が選択されている状態で、その当日すなわち太陽光利用沸上運転の実行日の当該太陽光利用沸上運転が開始される時刻以降は、前記時刻変更を行うことはできない（＝言い換えれば余剰沸上設定部３３Ｃにより受け付けられない。以下同様）。図示の例では、９月１５日（土曜日）については、１１：００に前記太陽光利用沸上運転が開始される設定となっていることから、９月１５日（土曜日）の１１：００以降は、当該「９／１５の１１：００」という前記開始時刻の変更を行うことができなくなる。
【０１３９】
その後、前記同様、９月１５日（土曜日）のうち１７：００以降でかつ２３：００より前までは、「９／１６」及び「９／１７」の両日について前記実行・不実行の設定可能であることに対応し、図１６（ｄ）に示すように、それら「９／１６」「９／１７」について前記時刻変更を行うことができる。
【０１４０】
またその後、前記同様、前記したように、９月１５日（土曜日）の２３：００以降９月１６日（日曜日）の１７：００より前まで「９／１７」について前記実行・不実行の設定可能であることに対応し、図１６（ｄ）に示すように、当該時間範囲においては、「９／１７」及び「９／１６」について前記時刻変更を行うことができる。但しその際、前記同様、その当日（ここでは９月１６日）に前記太陽光利用沸上運転の前記実行が選択されていた場合、前記実行日である９月１６日（日曜日）の太陽光利用沸上運転の開始時刻以降は前記時刻変更を行えない。図示の例では、９月１６日（日曜日）について１４：００に前記太陽光利用沸上運転が開始されることから、９月１６日（日曜日）の１４：００以降は、当該「９／１６の１４：００」という前記開始時刻の変更を行うことができなくなる。
【０１４１】
さらにその後９月１６日（日曜日）の１７：００以降になると前記同様に「９／１７」「９／１８」の両日について前記実行・不実行の設定可能であることに対応し、それら両日についての前記時刻変更を行うことができる。以降、同様の処理態様が繰り返される。
【０１４２】
＜第１実施形態の特徴２〜リモコン装置の待機画面＞
また、本実施形態の別の特徴は、前記太陽光利用沸上運転を行う際の、前記リモコン装置５０の前記画面表示部６０における待機画面での表示の態様にある。以下、その詳細を順を追って説明する。
【０１４３】
図５等を用いて前述したように、前記待機状態においてはリモコン装置５０の画面表示部６０には前記待機画面６０Ａが表示されている。そして、前記のようにして太陽光利用沸上運転の実行（及びその開始時間）が設定されると、その実行までのタイミングに応じて、異なる態様の表示が行われる。
【０１４４】
すなわち、前述のようにして前記複数日数分（この例では２日分）について太陽光利用沸上運転の実行・不実行が選択され、少なくとも１日について太陽光利用沸上運転の実行が選択された場合には、図１７（ａ）に示すように、待機画面６０Ｐの日付表示部１７１において、前記実行が選択された少なくとも１日の日付（＝実行日）のうち、直近の日付が表示される。なお、この日付表示部１７１における表示は、前記太陽光利用沸上運転の実行が設定された後、前記直近の実行日の前日までの間、行われる。図１７（ａ）の待機画面６０Ｐでは、前記したように、９月１５日（土曜日）の１１：００に前記太陽光利用沸上運転が開始され、かつ、９月１６日（日曜日）の１４：００に前記太陽光利用沸上運転が開始されるように設定された場合の、９月１４日（金曜日）の２０：００における表示状態を示している。この設定では直近の太陽光利用沸上運転の実行日が９月１５日（土曜日）となることから、その実行日の前日の９月１４日（金曜日）まで、前記日付表示部１７１に「９／１５」の表示が行われる。
【０１４５】
また本実施形態では、前記日付表示部１７１において前記直近の実行日の日付がなされるとき（すなわち直近の実行日の前日までの間）、当該日付表示部１７１の横に、太陽光利用沸上運転の実行を予告する余剰沸上予告マークＭＫ（太陽マーク形状。予告表示の一例に相当）が表示される。
【０１４６】
図１７（ａ）に示した状態の後、前記直近の実行日になると、画面表示部６０には図１７（ｂ）の待機画面６０Ｑが表示される。この待機画面６０Ｑでは、前記待機画面６０Ｐにおける前記日付表示部１７１に代えて、前記太陽光利用沸上運転の実行日における、当該太陽光利用沸上運転の開始時刻を表す時刻表示部１７２が設けられる。なお詳細には、前記日付表示部１７１から時刻表示部１７２への表示の切り替えは、前記実行日の前日から前記実行日へ日付が切り替わる午前０時ではなく、前記夜間帯における前記午前０時よりも後のタイミングとなる第４所定時刻（例えば１：００。後述の図１９（ａ）等参照）において行われる。
【０１４７】
図１７（ｂ）に示す例では、前記した９月１５日（土曜日）の１１：００に前記太陽光利用沸上運転が開始される、という設定に応じて、時刻表示部１７２に「１１：００」の表示が行われている。なお、この時刻表示部１７２における表示は、前記太陽光利用沸上運転の前記実行日となった後、実際に太陽光利用沸上運転が開始されるまでの間、行われる。
【０１４８】
図１７（ｂ）に示した状態の後、前記実行日の前記太陽光利用沸上運転の開始時刻になると、画面表示部６０には図１８の待機画面６０Ｒが表示される。この待機画面６０Ｒでは、前記待機画面６０Ｑにおける前記日付表示部１７１及び余剰沸上予告マークＭＫに代えて、前記太陽光利用沸上運転が実行中であることを表す「湯増し中」のメッセージ表示ＭＳ（実行表示の一例に相当）が表示される。なお、このメッセージ表示ＭＳは、実際に前記太陽光利用沸上運転が実行中である間（図示の例では９月１５日（土曜日）の１１：３０での状態を表している）、行われる。
【０１４９】
なお、以上説明した図１７及び図１８に示した画面表示部６０の画面遷移は、前記表示制御部３３Ｂによる制御によって行われる。
【０１５０】
＜待機画面表示例のタイムテーブル＞
前記図１７（ａ）、図１７（ｂ）、図１８を用いて説明した、前記待機画面６０Ｐ，６０Ｑ，６０Ｒにおける表示内容の例を、図１９に示すタイムテーブルのうち図１９（ａ）に示す。
【０１５１】
図１９（ａ）において、この例では、前記の、９月１５日（土曜日）の１１：００、及び、９月１６日（日曜日）の１４：００、のそれぞれを開始時刻とする、前記太陽光利用沸上運転（ソーラーモードによる運転）の実行の設定が、９月１４日（金曜日）の２０：００になされている。前記したように、太陽光利用沸上運転の実行が設定された後、前記直近の実行日の前日及び前記直近の実行日の１：００より前までの間は、日付表示部１７１において前記直近の実行日の日付表示が行われる。この結果、９月１４日（金曜日）の２０：００〜９月１５日（土曜日）１：００より前までは、待機画面６０Ｐにおいて、日付表示部１７１で「９／１５」が表示されるとともに、前記したようにその横に前記余剰沸上予告マークＭＫ（太陽マーク形状）が表示される。
【０１５２】
その後、前記したように前記直近の実行日の１：００以降は、時刻表示部１７２において太陽光利用沸上運転の開始時刻が表示され、また太陽光利用沸上運転が実際に実行されている間は、前記メッセージ表示ＭＳが表示される。この結果、図示のように、９月１５日（土曜日）の１：００〜１１：００より前までは、待機画面６０Ｑにおいて、前記余剰沸上予告マークＭＫ（太陽マーク形状）に加え、時刻表示部１７２において「１１：００」が表示される。そして、前述のようにその後の９月１５日（土曜日）の１１：００に太陽光利用沸上運転が開始された後その太陽光利用沸上運転が終了する１３：００までの間は、待機画面６０Ｒにおいて前記「湯増し中」のメッセージ表示ＭＳが表示される。
【０１５３】
その後、９月１５日（土曜日）の１３：００以降になると前記同様に待機画面６０Ｐの日付表示部１７１における「９／１６」及び前記余剰沸上予告マークＭＫ（太陽マーク形状）が表示され、９月１６日（日曜日）の１：００より前まで、この表示となる。そして９月１６日（日曜日）１：００以降になると前記同様に待機画面６０Ｑの時刻表示部１７２における「１４：００」及び前記余剰沸上予告マークＭＫ（太陽マーク形状）が表示される。その後９月１６日（日曜日）１４：００〜１６：００の間は待機画面６０Ｒで前記「湯増し中」のメッセージ表示ＭＳが表示される。なお、図１９（ａ）に示すこの例では、前記設定が行われる前の９月１４日（金曜日）２０：００より前、及び、９月１６日（日曜日）の１６：００より後、においては、日付表示部１７１や時刻表示部１７２や余剰沸上予告マークＭＫやメッセージ表示ＭＳのない（図１９（ａ）中に「×」印で略示）、前記図５に示した待機画面６０Ａが表示される。
【０１５４】
図１９（ｂ）に、前記とは別に、９月１５日（土曜日）に対して太陽光利用沸上運転の不実行の設定、９月１６日（日曜日）に対しては開始時刻１４：００の前記太陽光利用沸上運転（ソーラーモードによる運転）の実行の設定、が９月１４日（金曜日）の２０：００になされた場合を示す。この場合、前記直近の実行日が９月１６日（日曜日）となることから、図示のように、９月１４日（金曜日）の２０：００〜９月１６日（土曜日）１：００より前までは、待機画面６０Ｐにおいて、日付表示部１７１で「９／１６」が表示されるとともに、前記したようにその横に前記余剰沸上予告マークＭＫ（太陽マーク形状）が表示される。
【０１５５】
その後、９月１６日（日曜日）の１：００〜１４：００より前までは、待機画面６０Ｑにおいて、前記余剰沸上予告マークＭＫ（太陽マーク形状）に加え、時刻表示部１７２において「１４：００」が表示される。そして、前述のようにその後の９月１６日（日曜日）の１４：００に太陽光利用沸上運転が開始された後その太陽光利用沸上運転が終了する１６：００までの間は、待機画面６０Ｒにおいて前記「湯増し中」のメッセージ表示ＭＳが表示される。なお、図１９（ｂ）に示すこの例では、前記設定が行われる前の９月１４日（金曜日）２０：００より前、及び、９月１６日（日曜日）の１６：００より後、においては、日付表示部１７１や時刻表示部１７２や余剰沸上予告マークＭＫやメッセージ表示ＭＳのない（図１９（ａ）中に「×」印で略示）、前記図５に示した待機画面６０Ａが表示される。
【０１５６】
また、図１９（ｃ）に、前記図１９（ａ）と同様、９月１５日（土曜日）に対し開始時刻１１：００の前記太陽光利用沸上運転の実行の設定、９月１６日（日曜日）に対し開始時刻１４：００の前記太陽光利用沸上運転の実行の設定、が９月１４日（金曜日）の２０：００になされた後、９月１５日（土曜日）の６：００において、９月１５日（土曜日）における前記開始時刻１１：００の設定を、１２：００に繰り下げる変更をした場合の例を示す。
【０１５７】
この場合、前記変更がなされるまでは前記図１９（ａ）と同様であり、９月１４日（金曜日）の２０：００〜９月１５日（土曜日）１：００より前までは、待機画面６０Ｐにおいて、日付表示部１７１で「９／１５」が表示されるとともに、前記したようにその横に前記余剰沸上予告マークＭＫ（太陽マーク形状）が表示される。その後、９月１５日（土曜日）の１：００〜６：００より前までは、待機画面６０Ｑにおいて、前記余剰沸上予告マークＭＫ（太陽マーク形状）に加え、時刻表示部１７２において「１１：００」が表示される。そして、前記９月１５日（土曜日）６：００において前記の変更がなされた後は、この変更内容に対応して、９月１５日（土曜日）の１２：００より前までは、前記待機画面６０Ｑにおいて、前記余剰沸上予告マークＭＫ（太陽マーク形状）に加え、時刻表示部１７２において「１２：００」が表示されることとなる。そして、その後の９月１５日（土曜日）の１２：００になると、１２：００から太陽光利用沸上運転を実行開始する旨の（前記変更内容を反映した）前記設定が、前記ステップＳ４０やステップＳ４２で説明したように、前記余剰沸上実行部３３Ａ及び前記余剰沸上設定部３３Ｃにより受け付けられ、この設定に基づきステップＳ４０及びステップＳ４２以降の前述した制御が実行される。こうして太陽光利用沸上運転が開始され１２：００以降、その太陽光利用沸上運転が終了する１４：００までの間、前記待機画面６０Ｒにおいて前記「湯増し中」のメッセージ表示ＭＳが表示される。これ以降は、図１９（ａ）と同様であり、説明を省略する。
【０１５８】
さらに、図１９（ｄ）に、前記図１９（ａ）と同様、９月１５日（土曜日）に対し開始時刻１１：００の前記太陽光利用沸上運転の実行の設定、９月１６日（日曜日）に対し開始時刻１４：００の前記太陽光利用沸上運転の実行の設定、が９月１４日（金曜日）の２０：００になされた後、９月１５日（土曜日）の１１：００において、９月１５日（土曜日）における前記開始時刻１１：００の設定を、１０：００に繰り上げる変更をした場合の例を示す。
【０１５９】
この場合、前記同様、前記変更がなされるまでは前記図１９（ａ）と同一の表示態様であり、９月１４日（金曜日）の２０：００〜９月１５日（土曜日）１：００より前までは、待機画面６０Ｐにおいて、日付表示部１７１で「９／１５」が表示されるとともに、前記したようにその横に前記余剰沸上予告マークＭＫ（太陽マーク形状）が表示される。その後、９月１５日（土曜日）の１：００〜１１：００より前までは、待機画面６０Ｑにおいて、前記余剰沸上予告マークＭＫ（太陽マーク形状）に加え、時刻表示部１７２において「１１：００」が表示される。そして、前記９月１５日（土曜日）１１：００において前記の１０：００にくりあげる変更がなされると、この変更内容に対応して、その繰り上げられた開始時刻１０：００は既に過ぎていることから、当該１０：００からの太陽光利用沸上運転を実行開始する旨の（前記変更内容を反映した）前記設定が、前記ステップＳ４０やステップＳ４２で説明したように、前記余剰沸上実行部３３Ａ及び前記余剰沸上設定部３３Ｃにより受け付けられ、この設定に基づき制御が実行される。すなわち、前記開始時刻を既に過ぎていることに対応し、前記図９のステップＳ３２０の判定が満たされることとなって前記余剰沸上制御部４０により直ちに前記ステップＳ３２２の余剰沸上（太陽光利用沸上運転）が開始される。こうして１１：００に太陽光利用沸上運転が開始されて以降は、その太陽光利用沸上運転が２時間後に終了する（すなわち１３：００）までの間、前記待機画面６０Ｒにおいて前記「湯増し中」のメッセージ表示ＭＳが表示される。これ以降は、図１９（ａ）と同様であり、説明を省略する。
【０１６０】
＜第１実施形態の効果＞
以上説明したように、本実施形態によれば、前記太陽光利用沸上運転の実行・不実行の選択及び前記開始時刻の設定を、連続する複数日数の期日（前記の例では連続する２日間）にわたって行うことができ、かつ、それら複数の期日の各期日ごとに個別に前記実行・不実行の選択及び前記太陽光利用沸上運転の開始時刻の設定を行うことができる。これにより、ユーザは、例えば太陽光利用沸上運転の実行日に先立つ所望日（前記の例に沿うと９月１４日（金曜日））に、予め、複数日数分（前記の例に沿うと９月１５日（土曜日）及び９月１６日（日曜日）の２日分）の前記太陽光利用沸上運転の実行・不実行の選択（図１２（ａ）、図１５（ａ）等参照）と実行日における前記開始時刻の設定（図１３（ｂ）、図１５（ｂ）等参照）とを一度に行うことができ、しかも各期日ごとに個別にその選択・設定内容を変えることができる。この結果、太陽光利用沸上運転の実行・不実行や運転開始時刻の設定を毎日行わなければならない煩雑さを解消し、ユーザにとっての利便性を向上することができる。
【０１６１】
また、本実施形態では特に、ある日付において、その日（当日）における前記太陽光利用沸上運転の実行・不実行の選択は受け付けられない（図１６（ｂ）参照）。これには以下のような意義がある。すなわち、既に述べたように、通常、太陽光利用沸上運転を行う場合には、その前日の夜間帯に行われる沸上運転での沸上湯量（前記夜間沸上容量に対応）を、前記太陽光利用沸上運転で見込まれる沸上湯量分だけ減算する（前記補正夜間沸上容量に対応）ことで、夜間沸上時の電気料金の抑制が図られる。したがって、太陽光利用沸上運転を行うか否かは、少なくともその運転を行う前日には確定しておく必要がある。本実施形態においては、前記当日における太陽光利用沸上運転の実行・不実行の選択を受け付けず、言い換えれば少なくとも前日までになされる前記選択のみを受け付けることで、前記沸上湯量の減算による電気料金抑制を確実に図ることができる。
【０１６２】
また、本実施形態では特に、ある日付において、その日（当日）のうち前記夜間帯の開始時刻以降（前記の例では２３：００以降）における前記太陽光利用沸上運転の実行・不実行の選択は受け付けられない（図１６（ｂ）参照）。これには以下のような意義がある。すなわち、通常、前記夜間帯は、ある日付遅くの深夜時刻から始まり、午前０時で翌日の日付に変わった後、その翌日の早朝までの時間帯となる（例えば電力会社との契約内容によって決まる。前記の例では２３：００〜７：００）。本実施形態においては、午前０時になる前であっても、前記夜間帯が開始される開始時刻となっていれば前記太陽光利用沸上運転の実行・不実行の選択を受け付けないようにする。これにより、前記同様、当該夜間帯の沸上運転における前記沸上湯量の減算による電気料金抑制を確実に図ることができる。
【０１６３】
また、本実施形態では特に、前記のようにして一旦受け付けられた、各期日ごとの太陽光利用沸上運転の前記実行又は前記不実行の選択に対する取り消し（キャンセル）が、各期日ごとに個別に受け付けられる。これにより、例えば天気予報の内容が変わった等の何らかの事情によって一旦ユーザが行った太陽光利用沸上運転の前記実行・不実行の選択を取り消したい場合にも確実に対応することができる。この結果、ユーザにとっての利便性をさらに向上することができる。
【０１６４】
また、本実施形態では特に、太陽光利用沸上運転が実行される実行日における、当該太陽光利用沸上運転の終了時刻（前記の例では９月１５日（土曜日）１３：００、９月１６日（日曜日）１６：００）以降は、その実行日に対する前記実行又は前記不実行の選択に対する前記取り消しが受け付けられない。これにより、ユーザの前記実行の選択で既に太陽光利用沸上運転が実行済みのタイミングにおいて、当該実行の選択が取り消されることにより制御上の混乱が生じるのを、未然に防止することができる。
【０１６５】
また、本実施形態では特に、一旦受け付けられた、各期日ごとの太陽光利用沸上運転の開始時刻の設定に対する変更が、各期日ごとに個別に受け付けられる（図１６（ｄ）等参照）。これにより、例えば天気予報の内容が変わった等の何らかの事情によって一旦ユーザが行った太陽光利用沸上運転の前記開始時刻の設定を変更したい場合にも確実に対応することができる。この結果、ユーザにとっての利便性をさらに向上することができる。
【０１６６】
また、本実施形態では特に、前記太陽光利用沸上運転の実行日における、当該太陽光利用沸上運転の開始時刻（前記の例では９月１５日（土曜日）１１：００、９月１６日（日曜日）１４：００）以降は、当該太陽光利用沸上運転の開始時刻に対する変更は受け付けられない。これにより、ユーザの前記開始時刻の設定で既に太陽光利用沸上運転が開始済みのタイミングにおいて、当該開始時刻が変更されることにより制御上の混乱が生じるのを、未然に防止することができる。
【０１６７】
また、本実施形態では特に、前記太陽光利用沸上運転の実行日の前記開始時刻より早い受付時刻において、当該太陽光利用沸上運転の前記開始時刻を前記受付時刻よりも早くする変更を受け付けた時（図１９（ｄ）参照）には、直ちに前記太陽光利用沸上運転を開始する。これにより、ユーザの当初の意図とは異なり、現在時刻よりも早いタイミングで太陽光利用沸上運転を開始したかったという新たな意図に対応し、極力迅速に太陽光利用沸上運転を開始することができる。
【０１６８】
また、本実施形態では特に、画面表示部６０の設定画面６０Ｄ，６０Ｊの日付表示部１６３において、所定の表示日（前記の例では１７：００の前までは操作日。１７：００以降は操作日の翌日）を含む複数日数分（前記の例では２日分）の日付が表示され、各期日ごとに前記太陽光利用沸上運転の実行・不実行が受け付けられる（図１１（ｂ）、図１２（ａ）、図１４（ｂ）、図１５（ａ）等参照）。これにより、ユーザは、表示されている前記複数日数分の日付を見ながら、各日付ごとに、前記太陽光利用沸上運転の実行・不実行の選択を順次行うことができる。これにより、わかりやすく簡便な操作で前記選択を行うことができ、さらにユーザにとっての利便性を向上することができる。また、ユーザは、前記複数日数分の各日付について前記太陽光利用沸上運転の実行が選択されているのか不実行が選択されているのか、複数日数分のうちどこまでが選択済なのか、等を容易に確認できる。この結果、ユーザは、天気予報の変化等に応じてさらに前記選択の変更が必要かどうかを判断し、必要に応じて適宜前記選択変更等を行うことができる。
【０１６９】
また、本実施形態では特に、画面表示部６０の設定画面６０Ｄ，６０Ｊの日付表示部１６３において、前記第１所定時刻（前記の例では１７：００）となる前は、前記所望日を含む前記複数日数分の日付が表示され、前記所望日の前記第１所定時刻以降は、前記所望日の翌日を含み前記翌日以降の前記複数日数分の前記日付が表示される。これには、以下のような意義がある。
【０１７０】
すなわち、例えば、太陽光の照射は日中が発電を行うのに十分であっても、夕方に近づくほど徐々に小さくなり、ある程度の時刻（例えば１７時等）になると、発電するには不足する状態となる。したがって、その時刻以降はその日の太陽光発電は不可能であるため、前記画面表示部６０にその日の日付を表示する意味はない（その日の翌日以降を表示すれば足りる）。そこで本実施形態においては、前記図１６（ａ）等に示したように、前記第１所定時刻となる前はその日を含めた前記複数日数分の日付を表示する一方、前記第１所定時刻以降はその日の翌日から前記複数日数分の日付を表示する。あるいは、例えば、その日に太陽光利用沸上運転を実行する設定となっている場合で、当該太陽光利用沸上運転が実行された後についても、前記同様、前記画面表示部６０にその日の日付を表示する意味はない（その日の翌日以降を表示すれば足りる）。そこで前記の変形例においては、前記図１７（ａ）等に示したように、太陽光利用沸上運転の実行済みのタイミング（前記の例では、９月１５日（土曜日）１３：００、９月１６日（日曜日）１６：００）となる前はその日を含めた前記複数日数分の日付を表示する一方、太陽光利用沸上運転の実行済みのタイミング以降はその日の翌日から前記複数日数分の日付を表示する。以上の手法により、前記のような実質的に意味のない表示を回避し、ユーザにとってわかりやすく使いやすい表示内容とすることができる。
【０１７１】
また、本実施形態では特に、設定画面６０Ｈ等において、前記夜間帯の終了時刻以降の第２所定時刻（前記の例では７：００）から、前記第１所定時刻より早い第３所定時刻（前記の例では１５：００）までの時間範囲において、前記太陽光利用沸上運転の前記開始時刻として設定可能な複数の開始時刻候補（前記の例では「７時」「８時」「９時」「１０時」「１１時」「１２時」「１３時」「１４時」「１５時」）が順次視認可能に表示され、ユーザによるその中のいずれか１つの選択が受け付けられる。これには、以下のような意義がある。
【０１７２】
太陽光発電は少なくとも夜間帯には行われないので、前記太陽光利用沸上運転が行われるときの開始時刻は、前記夜間帯の終了時刻以降となる。また、前記したように太陽光発電は前記第１所定時刻（前記の例では１７：００）以降は不可能であるため、前記開始時刻は当該第１所定時刻以前となる。詳細には、前記太陽光利用沸上運転の所要時間（前記の例では２時間）を考えれば、前記第１所定時刻から前記所要時間分だけ繰り上がった時刻以降は、前記開始時刻を設定しても意味がない。そこで本実施形態においては、夜間帯の終了時刻以降の第２所定時刻（前記の例では７：００）から、前記第１所定時刻より早い第３所定時刻（前記の例では１５：００）までの時間範囲（前記の例では７：００〜１５：００）において、前記複数の開始時刻候補を表示する。ユーザは、この複数の候補の中から前記開始時刻を適宜に選択すれば足りるので、簡単な操作でわかりやすく、利便性をさらに向上することができる。
【０１７３】
また、本実施形態では特に、前記第３所定時刻（前記の例では１５：００）は、前記第１所定時刻までの時間偏差が、前記太陽光利用沸上運転に要する所要時間（前記の例では２時間）以上となるように、設定されている。これにより、第３所定時刻と第１所定時刻との時間偏差を、少なくとも太陽光利用沸上運転に要する所要時間（前記の例では２時間）以上分は確保することにより、前記のような実質的に意味のない表示を確実に回避し、ユーザにとってわかりやすく使いやすい表示内容とすることができる。
【０１７４】
また、本実施形態では特に、前記太陽光利用沸上運転の実行が選択された場合には、前記待機画面６０Ｐにおいて、その太陽光利用沸上運転が実行される直近の実行日の前日（前記の例では例えば９月１４日（金曜日））までの間は、当該太陽光利用沸上運転の実行を予告する余剰沸上予告マークＭＫと、当該直近の実行日の日付を表す日付表示部１７１（前記の例では「９／１４」）と、を表示する。これにより、ユーザは、太陽光利用沸上運転の実行の選択がなされていること、及び、当該太陽光利用沸上運転がいつ実行されるのか、を確実に視認することができる。また、直近の太陽光利用沸上運転実行日が容易に確認できるので、ユーザは、天気予報の変化等に応じてさらに前記実行・不実行の選択の変更が必要かどうかを前記直近の実行日まで判断することができ、必要に応じて適宜前記選択変更等を行うことができる。
【０１７５】
また、本実施形態では特に、前記直近の実行日（前記の例では例えば９月１４日（金曜日））になると、前記待機画面６０Ｑにおいて、前記直近の実行日の前記日付に代えて、前記太陽光利用沸上運転の開始時刻を表す時刻表示部１７２（前記の例では「１１：００」）を表示する。これにより、ユーザは、太陽光利用沸上運転の当日になったこと、及び、その日の何時に当該太陽光利用沸上運転が始まるのか、を確実に視認することができる。また、当日において太陽光利用沸上運転の開始時刻が容易に確認できるので、ユーザは、例えば当日の時間帯別の天気予報の変化等に応じてさらに前記実行・不実行の選択の変更や前記開始時刻の設定の変更が必要かどうかをギリギリまで判断することができ、必要に応じて適宜前記選択変更や前記開始時刻の変更等を行うことができる。
【０１７６】
また、本実施形態では特に、待機画面６０Ｐの日付表示部１７１から待機画面６０Ｑの時刻表示部１７２への切り替えを、前記夜間帯における午前０時よりも遅い第４所定時刻（前記の例では１：００）において行う。これには以下のような意義がある。
【０１７７】
すなわち、前記したように夜間帯の設定は電力会社との契約内容によって種々異なる場合があり、その設定によっては、前記のような実行日前日から実行日当日への区切りを考える際に午前０時を境にするとうまく整合しない場合がありうる。そこで本実施形態においては、午前０時よりも遅い第４所定時刻（前記の例では１：００）を境に前記日付表示部１７１から前記時刻表示部１７２の表示に切り替えることで、前記の弊害を未然に防止することができる。
【０１７８】
また、本実施形態では特に、前記太陽光利用沸上運転が実行されている間は、前記待機画面６０Ｒにおいて、その実行中であることを表す「湯増し中」のメッセージ表示ＭＳを行う。これにより、ユーザに対し、いま現在、太陽光利用沸上運転が実行中であることを確実に報知することができる。またこれにより、その日の当該太陽光利用沸上運転の前記開始時刻の変更を行うことができないことをユーザに確実に認識させることもできる。
【０１７９】
また、本実施形態では特に、前記太陽光利用沸上運転の実行・不実行の選択及び前記開始時刻の設定を、２日連続する２つの期日（前記の例では９月１５日（土曜日）及び９月１６日（日曜日）。図１１（ａ）、図１４（ａ）等参照）にわたって個別に行うことができる。これには以下のような意義がある。
【０１８０】
一般に、天気予報では、翌日と翌々日の２日間だけ天気の時間帯別の推移がアナウンスされることが多い。つまり、技術的に、３日後以降の天気は、大まかな１日ごとの天気しか予想できないのが実情である。本実施形態においてはこれに対応し、２日連続する２つの期日にわたって前記太陽光利用沸上運転の実行・不実行の選択及び前記開始時刻の設定を行う。すなわち、所望日の翌日と翌々日との２日間に関してだけ、前記太陽光利用沸上運転の前記実行・不実行の選択と、前記太陽光利用沸上運転の前記開始時刻の設定とを、個別に行えるようにする。これにより、前記の技術的事情に鑑みてあまり意味のない先の期日における前記選択及び前記設定をなくし、実情に合致した使いやすい装置構成とすることができる。
【０１８１】
本発明の第２実施形態を図２０〜図２８により説明する。本実施形態は、前記同様の設定画面において、太陽光利用沸上運転の実行・不実行の選択及びその開始時刻の設定を、連続する所定の連続期日（例えば１週間等の適宜の日数）にわたって、全期日共通に一括して行えるようにした実施形態である。上記第１実施形態と同等の部分には同一の符号を付し、適宜説明を省略又は簡略化する。
【０１８２】
＜機能的構成＞
本実施形態における前記制御装置３１の機能構成は、前記図４に示したものと同一である。前記第１実施形態と同様、ユーザは、例えば前記リモコン装置５０において表示される公知の気象情報、あるいは、この給湯システム外の情報端末（不図示）において表示される公知の気象情報を確認する。そしてその気象情報に基づき、対象となる前記連続期日（この例では１週間連続する７つの期日）にて、前記太陽光利用沸上運転を行えるか否か、を判断する。なお、前記第１実施形態と同様、前記連続期日は、例えば前記図６〜図９に示すフローによる制御手順が実行開始される所望日の翌日（以下適宜、単に「翌日」という）と、さらにその翌日（以下適宜、単に「翌々日」という）と、を含む複数日間であり、この例では前記翌日を起算日とする１週間、すなわち合計７日間である。なお、前記所望日の翌々日以降を前記起算日としてもよい。
【０１８３】
前記第１実施形態と同様、ユーザは、例えば、前記気象情報に基づいて前記発電電力量の挙動等を自ら推定して、前記太陽光利用沸上運転を行えるか行えないかを判断し、前記第１実施形態と同様、前記図５に示した構成の前記リモコン装置５０を用いて手動にて対応する各種設定を行う（詳細は後述）。前記制御装置３１は、この設定に基づき、前記第１実施形態と同様、図６、図７、図８、及び図９のフローチャートに示される制御手順を実行する。
【０１８４】
＜第２実施形態の特徴１〜リモコン装置の設定画面＞
前記第１実施形態と同様、本実施形態の特徴の１つは、前記太陽光利用沸上運転を行うための、前記リモコン装置５０での設定及び表示の態様にある。以下、その詳細を順を追って説明する。
【０１８５】
図５を用いて前述したように、リモコン装置５０の画面表示部６０は、常には前記待機状態にあって、前記待機画面６０Ａが表示されている。本実施形態では、この状態から前記「メニュー／決定」スイッチ７５が操作されることで、前記画面表示部６０の表示が図示しないメインメニュー画面へ移行し、さらに「メニュー／決定」スイッチ７５等の適宜の操作が行われることで、図２０（ａ）に示す設定画面６０Ｂ′へ移行する。
【０１８６】
この設定画面６０Ｂ′では、貯湯式給湯機１における複数の運転モード（この例では通常の「運転モード」と「ソーラーモード１週間」）とを選択可能に表示する運転モード表示部１６１と、メッセージ表示部１６２と、を有している。運転モード表示部１６１に表示される前記「ソーラーモード１週間」は、前記第１実施形態の「ソーラーモード」と同様、太陽光利用沸上運転を行うためのモードである。
【０１８７】
この図２０（ａ）に示す状態から、前記ソーラーモード１週間を選択するために、ユーザが前記十字キー７４を下向きに操作し画面内のカーソルＫを下方へ１段移動させた状態を図２０（ｂ）に示す。図２０（ｂ）に示すように、この設定画面６０Ｃ′では、前記操作に対応して運転モード表示部１６１において前記カーソルＫが「ソーラーモード１週間」の位置に移動している。そして、これに対応して、メッセージ表示部１６２には、「ソーラーモード１週間の設定を行います。夜間帯開始前に設定を行ってください。」のメッセージが表示されている。
【０１８８】
本実施形態では、リモコン装置５０に対する前記した操作が行われている操作日（表示日に相当）において、この操作日の翌日を起算日とした１週間の間の各日付それぞれについて、前記太陽光利用沸上運転（言い換えればソーラーモード１週間による運転。以下同様）の実行・不実行を一括して設定することができる。この設定を行うために、図２０（ｂ）に示すカーソルＫの状態でユーザが前記「メニュー／決定」スイッチ７５により決定操作を行った状態を、図２１（ａ）に示す。
【０１８９】
図２１（ａ）に示すように、この設定画面６０Ｅ′では、メッセージ表示部１６５と、設定内容表示部１６６と、を有している。図２１（ａ）では、リモコン装置５０が９月１４日に操作されている場合を表しており、この場合、対象となる前記１週間の日付が９月１５日（土曜日）〜９月２１日（金曜日）となることに対応して、メッセージ表示部１６５には、「９／２１（金）までの動作を設定します」のメッセージが表示されている。すなわち、このメッセージ表示部１６５には、操作日から前記複数日数分（この例では１週間となる７日分）経過後の最終日付が表示される
【０１９０】
また、前記設定内容表示部１６６では、対象となる各期日（この例では９月１５日（土曜日）、９月１６日（日曜日）、９月１７日（月曜日）、９月１８日（火曜日）、９月１９日（水曜日）、９月２０日（木曜日）、９月２１日（金曜日）の各期日）共通に一括して、前記太陽光利用沸上運転の実行・不実行のいずれかが設定されていることを表す「する」表記（実行が設定されている場合）若しくは「しない」表記（不実行が設定されている場合）と、前記太陽光利用沸上運転の実行時にその運転開始時刻を表す「開始」表記と、その開始時刻の表記（設定されている場合）若しくは「−」表記（設定されていない場合）と、等が表示される。図示の例では、前記太陽光利用沸上運転の不実行の設定に対応し、前記「ソーラーモード１週間」及び前記「開始」表記のほかには、前記「しない」表記と前記「−」表記とが表示されている。なお、この状態では、前記カーソルＫが、前記「する」表記及び前記「しない」表記のうち「しない」表記に位置し、前記太陽光利用沸上運転を行わない（すなわち不実行の）選択となっている。
【０１９１】
この図２１（ａ）に示す状態から、前記太陽光利用沸上運転の実行を選択するために、ユーザが前記十字キー７４を上向きに１回操作し画面内のカーソルＫを上方へ移動させた状態を図２１（ｂ）に示す。図２１（ｂ）に示すように、この設定画面６０Ｆ′において、前記操作に対応し、カーソルＫが、前記太陽光利用沸上運転の実行を表す「する」表記に移動している。
【０１９２】
この図２１（ｂ）に示す状態から、前記太陽光利用沸上運転の開始時間を設定するために、ユーザが前記十字キー７４を右向きに１回操作し画面内のカーソルＫを右方へ移動させた状態を図２２（ａ）に示す。図２２（ａ）に示すように、この設定画面６０Ｇ′において、前記操作に対応し、カーソルＫが、前記「開始」表記に位置している。
【０１９３】
この図２２（ａ）に示す状態から、ユーザが前記「メニュー／決定」スイッチ７５による決定操作を行った状態を図２２（ｂ）に示す。図２２（ｂ）に示すように、この設定画面６０Ｈ′では、前記第１実施形態の図１３（ａ）の前記設定画面６０Ｈと同様、前記開始時刻として設定可能な開始時刻候補が一覧表示される。具体的には、前記夜間帯の終了時刻（前述の例では７：００）以降の第２所定時刻（この例では例えば７：００。図示省略）から、所定の第３所定時刻（この例では図示の１５：００）までの時間範囲において、複数の開始時刻候補「７時」「８時」「９時」「１０時」「１１時」「１２時」「１３時」「１４時」「１５時」が表示される（一部不図示）。なお、第１実施形態と同様、図示のようなポップアップ形式や割り込みウィンドウ形式で各開始時刻候補を一覧表示する手法でなく、もとの設定画面６０Ｈ′の表示のまま前記開始時刻候補「７時」「８時」「９時」「１０時」「１１時」「１２時」「１３時」「１４時」「１５時」が１つずつずれて順次表示されるようにしてもよい。
【０１９４】
なお、前記第３所定時刻は、太陽光発電装置３での発電が十分な状態が維持できる限界とみなせる時間（言い換えれば発電が十分な状態から不足状態に陥ると想定される時間）の一例としての第１所定時刻（例えば１７：００）よりも早い時刻に予め設定されており、第１実施形態と同様、この例では特に、前記第１所定時刻（１７：００）との時間偏差が、前記太陽光利用沸上運転に要する所要時間以上となるように、設定されている。本実施形態においても、前記第１実施形態と同様、前記太陽光利用沸上運転において沸き上げる前記余剰沸上容量が例えば１００Ｌに固定されており（但し前記と同様、余剰沸上容量が可変に設定されていてもよい）、この容量の沸き上げに要する時間が約２時間であると見込まれることから、前記時間偏差を２時間として、前記第３所定時刻は、前記第１所定時刻（１７：００）よりも２時間前の１５：００に設定されている。なお、この設定画面６０Ｈ′においても、前記第１実施形態の設定画面６０Ｈと同様、予め適宜に定められた開始時刻候補（例えば「１２：００」）をデフォルトで選択された状態として表示してもよい。あるいは、前回設定時の開始時刻をデフォルトで選択された状態として表示するようにしてもよい。
【０１９５】
この図２２（ｂ）に示す状態から、ユーザが前記十字キー７４及び前記「メニュー／決定」スイッチ７５の操作により、前記開始時刻を１１時に設定（選択）した状態を図２３に示す。図２３に示すように、この設定画面６０Ｉ′では、前記設定内容表示部１６６において、これまでの前記操作に対応して、前述の「ソーラーモード」表記、「する」表記、及び「開始」表記と、（前記「−」表記に代わる）前記太陽光利用沸上運転が１１：００に開始されることを表す「１１時」表記と、が表示される。
【０１９６】
この図２３に示す状態で、ユーザが前記「メニュー／決定」スイッチ７５の操作を行うと、前記画面表示部６０の表示は、前記図５に示した前記待機画面６０Ａに戻る。この操作時に、前記スピーカ７３により、「設定されました」あるいは「９月２１日までの設定が完了しました」等の音声を発声するようにしてもよい。
【０１９７】
なお、以上の操作に対応した、９月２１日までの各期日において太陽光利用沸上運転を実行する旨の設定、及び、その開始時刻を１１：００とする設定は、前記ステップＳ４０やステップＳ４２で説明したように、前記余剰沸上実行部３３Ａ及び前記余剰沸上設定部３３Ｃにより受け付けられ、その設定内容に基づきステップＳ４０及びステップＳ４２以降の前述した制御に反映される。すなわち、前記余剰沸上実行部３３Ａは各請求項記載の共通選択受付手段として機能し、前記余剰沸上設定部３３Ｃは各請求項記載の共通設定受付手段として機能する。またその結果、前記ステップＳ３００の前記余剰沸上処理を実行する前記余剰沸上制御部４０が、各請求項記載の加熱制御手段として機能する。
【０１９８】
また、以上説明した図５及び図２０〜図２３に示した画面表示部６０の画面遷移は、前記表示制御部３３Ｂによる制御によって行われる。すなわち、前記表示制御部３３Ｂは、各請求項記載の最終表示制御手段及び時刻表示制御手段として機能する。
【０１９９】
＜各種処理を表すタイムテーブル＞
リモコン装置５０の画面表示部６０に表示される前記設定画面６０Ｂ′〜６０Ｉ′において説明した、前記したメッセージ表示部１６５のメッセージ中に示される、複数日数分（この例では１週間となる７日分）経過後の最終日付を表す表記の一例を、図２４に示すタイムテーブルのうち図２４（ａ）に示す。
【０２００】
＜最終日付表示＞
前述したように、メッセージ表示部１６５のメッセージ中には、操作日（表示日）から１週間経過後の最終日付が表示される。したがって、図２４（ａ）に一例として示すように、９月１４日（金曜日）にはメッセージ表示部１６５のメッセージ中には「９／２１（金）まで」と表示される。但し、９月１５日（土曜日）の午前０：００になる前の９月１４日（金曜日）の２３：００以降になると、メッセージ表示部１６５のメッセージ中には、操作日の翌日から１週間経過後の最終日付、すなわち、「９／２２（土）まで」と表示される。その後、９月１５日（土曜日）の２３：００まで、１週間経過後の最終日付である前記「９／２２（土）まで」の表示が継続する。その後、前記同様、９月１５日（土曜日）のうち２３：００以降になると同様にメッセージ表示部１６５のメッセージ中に「９／２３（日）まで」と表示されるようになり、９月１６日（日曜日）の２３：００より前まで、この表示内容となる。以降、同様の表示態様が繰り返される。
【０２０１】
＜最終日付の設定可否＞
一方、前記図２１（ａ）に示したように、前記メッセージ表示部１６５のメッセージ中における前記最終日付の表示に対応し、カーソルＫが「する」又は「しない」位置する状態で前記十字キー７４や前記「メニュー／決定」スイッチ７５を操作して行う、当該最終日付までの前記太陽光利用沸上運転（ソーラーモード１週間による運転）の実行・不実行の設定（前記「する」「しない」の選択）の可否の一例を、図２４に示すタイムテーブルのうち図２４（ｂ）に示す。
【０２０２】
図２４（ａ）を用いて前記したように、９月１４日（金曜日）のうち（夜間帯の開始時刻である）２３：００より前は、メッセージ表示部１６５のメッセージ中には「９／２１（金）まで」と表示される。すなわち、前記図２１（ａ）に示す設定画面６０Ｅ′において、前述したように、操作日翌日９月１５日（土曜日）を起算日として、操作日当日９月１４日（金曜日）から１週間経過後の９月２１日（金曜日）までについての前記実行・不実行の設定が可能である。なお、その際、操作日当日９月１４日（金曜日）を起算日として、その９月１４日（金曜日）から１週間経過後の９月２１日（金曜日）までについての前記実行・不実行の設定を行うことはできない（＝言い換えれば余剰沸上実行部３３Ａにより受け付けられない。以下同様）。この結果、操作日当日である「９／１４分」については、前記実行・不実行の設定を行うことはできない。
【０２０３】
そして、前記したように、９月１４日（金曜日）のうち２３：００以降は、メッセージ表示部１６５のメッセージ中には「９／２２（土）まで」と表示される。すなわち、前記設定画面６０Ｅ′において、それまで可能であった、操作日翌日である９月１５日（土曜日）を起算日とした、操作日当日９月１４日（金曜日）から１週間経過後の９月２１日（金曜日）までについての前記実行・不実行の設定が不可能となる。その代わりに、操作日翌々日９月１６日（日曜日）を起算日とした、操作日翌日９月１５日（土曜日）から１週間経過後の９月２２日（土曜日）までについての前記実行・不実行の設定が可能となる（言い替えれば、操作日翌日である「９／１５」分について、前記実行・不実行の設定ができなくなる）。この状態は９月１５日（土曜日）のうち２３：００前まで継続する。
【０２０４】
その後９月１５日（土曜日）のうち２３：００以降は、前記したようにメッセージ表示部１６５のメッセージ中には「９／２３（日）まで」と表示される。そして、前記同様、操作日翌々日９月１７日（月曜日）を起算日とした、操作日翌日９月１６日（日曜日）から１週間経過後の９月２３日（日曜日）までについての前記実行・不実行の設定が可能となり、この状態は９月１６日（土曜日）のうち２３：００前まで継続する。以降、同様の表示態様が繰り返される。
【０２０５】
＜設定のキャンセル可否＞
ここで、本実施形態においては、上記第１実施形態と同様、前記余剰沸上実行部３３Ａが、前記のようにして受け付けた、複数日数分（この例では１週間となる７日分）の前記太陽光利用沸上運転（ソーラーモード１週間による運転）の実行・不実行の設定を、その後のリモコン装置５における適宜の操作（詳細な説明及び図示は省略）によって個別に取り消すことができる（＝各請求項記載の共通取消受付手段としての機能）。その取り消し（以下適宜、「設定キャンセル」又は「キャンセル」という）操作の可否の一例を、図２４に示すタイムテーブルのうち図２４（ｃ）に示す。
【０２０６】
図２４（ｂ）を用いて前記したように、９月１４日（金曜日）のうち２３：００より前は、操作日翌日９月１５日（土曜日）を起算日として、操作日当日９月１４日（金曜日）から１週間経過後の９月２１日（金曜日）までについての前記実行・不実行の設定を行うことができる。これに対応して、図２４（ｃ）に示すように、当該２３：００より前において、前記９月１５日（土曜日）〜９月２１日（金曜日）までの実行・不実行の設定キャンセルを一括して行うことができる。
【０２０７】
図２４（ｃ）の例では、９月１４日（金曜日）の１１：００に、前記９月１５日（土曜日）〜９月２１日（金曜日）までの前記実行の設定を行った場合の例を示しており、９月１４日（金曜日）の２３：００より前においては、この設定した前記９月１５日（土曜日）〜９月２１日（金曜日）までの実行の設定をキャンセルすることができる。
【０２０８】
その後、９月１４日（金曜日）の（夜間帯の開始時刻である）２３：００以降においては、前記９月１５日（土曜日）〜９月２１日（金曜日）までの実行の設定をキャンセルすることができる。すなわち、９月１５日〜９月２１日についての設定を、その最初の日付である９月１５日の当日となってからでもキャンセルすることができる。但しこの際、その最初の日付の当日（ここでは９月１５日）に前記太陽光利用沸上運転の前記実行が選択されていた場合、その当日すなわち太陽光利用沸上運転の実行日の当該太陽光利用沸上運転が終了する時刻以降は、前記設定キャンセルを行うことはできない（＝言い換えれば余剰沸上実行部３３Ａにより受け付けられない。以下同様）。図示の例では、前記のように９月１５日（土曜日）の１１：００に前記太陽光利用沸上運転が開始される（すなわち前記したようにこの場合２時間後の１３：００に太陽光利用沸上運転が終了する）設定となっていることから、９月１５日（土曜日）の１３：００以降は、当該「９／１５」についての前記実行の設定キャンセルを行うことができなくなり、９月１６日（日曜日）以降、すなわち、前記９月１６日（日曜日）〜９月２１日（金曜日）までの実行分の設定をキャンセルすることだけができる。
【０２０９】
その後、前記同様、９月１５日（土曜日）のうち２３：００以降は、前記９月１６日（日曜日）〜９月２１日（金曜日）までの実行の設定をキャンセルすることができる。そして、前記同様、９月１６日（日曜日）の１３：００以降は、当該「９／１６」についての前記実行の設定キャンセルを行うことができなくなり、９月１７日（月曜日）以降、すなわち、前記９月１７日（月曜日）〜９月２１日（金曜日）までの実行分の設定をキャンセルすることだけができる。以降、同様の処理態様が繰り返される。
【０２１０】
＜太陽光利用沸上運転の開始時刻の変更可否＞
さらに、本実施形態においては、前記第１実施形態と同様、前記余剰沸上設定部３３Ｃは、前記のようにして受け付けた、複数日数分（この例では１週間となる７日分）の前記太陽光利用沸上運転（ソーラーモード１週間による運転）の開始時刻の一括設定を、その後のリモコン装置５における適宜の操作（詳細な説明及び図示は省略）によって変更することができる（＝各請求項記載の共通変更受付手段としての機能）。その時刻変更操作の可否の一例を、図２４に示すタイムテーブルのうち図２４（ｄ）に示す。
【０２１１】
図１６（ｂ）等を用いて前記したように、９月１４日（金曜日）のうち２３：００より前は、操作日翌日９月１５日（土曜日）を起算日として、操作日当日９月１４日（金曜日）から１週間経過後の９月２１日（金曜日）までについての前記実行・不実行の設定を行うことができる（前記実行を設定した場合は前記開始時刻の設定を行うこともできる）。これに対応して、図２４（ｄ）に示すように、当該２３：００より前においては、前記９月１５日（土曜日）〜９月２１日（金曜日）までについて一括して設定されている前記開始時刻の変更を行うことができる。
【０２１２】
その後、９月１４日（金曜日）のうち２３：００以降は、前記９月１５日（土曜日）〜９月２１日（金曜日）までの前記時刻変更を行うことができる。すなわち、９月１５日についての設定は、その９月１５日当日となってからでも前記時刻変更を行うことができる。但しこの際、その当日（ここでは９月１５日）すなわち太陽光利用沸上運転の実行日の当該太陽光利用沸上運転が開始される時刻以降は、前記時刻変更を行うことはできない（＝言い換えれば余剰沸上設定部３３Ｃにより受け付けられない。以下同様）。図示の例では、９月１５日（土曜日）の前記太陽光利用沸上運転が開始される１１：００以降は、当該９月１５日（土曜日）の１１：００という前記開始時刻の当日設定分の変更を行うことはできなくなり、前記９月１６日（日曜日）〜９月２１日（金曜日）までの前記時刻変更のみが可能となる。
【０２１３】
その後、前記同様、９月１５日（土曜日）のうち２３：００以降は、前記９月１６日（日曜日）〜９月２１日（金曜日）までの前記時刻変更を行うことができる。但し９月１６日（日曜日）の１１：００以降は、当該９月１６日（日曜日）の１１：００という前記開始時刻の当日設定分の変更を行うことはできなくなり、前記９月１７日（月曜日）〜９月２１日（金曜日）までの前記時刻変更のみが可能となる。以降、同様の処理態様が繰り返される。
【０２１４】
＜第２実施形態の特徴２〜リモコン装置の待機画面＞
また、前記第１実施形態と同様、本実施形態の別の特徴は、前記太陽光利用沸上運転を行う際の、前記リモコン装置５０の前記画面表示部６０における待機画面での表示の態様にある。以下、その詳細を順を追って説明する。
【０２１５】
図５等を用いて前述したように、前記待機状態においてはリモコン装置５０の画面表示部６０には前記待機画面６０Ａが表示されている。そして、前記のようにして太陽光利用沸上運転の実行（及びその開始時間）が設定されると、その実行までのタイミングに応じて、異なる態様の表示が行われる。
【０２１６】
すなわち、前述のようにして前記連続期日（この例では操作日の翌日を起算日とした１週間分）について太陽光利用沸上運転の実行・不実行が選択され、その連続期日について太陽光利用沸上運転の実行が選択された場合には、図２５（ａ）に示すように、待機画面６０Ｐ′の日付表示部１７１において、前記実行が選択された連続期日のうち、最終日の日付が表示される。なお、この日付表示部１７１における表示は、前記太陽光利用沸上運転の実行が設定された後、前記直近の実行日の前日までの間（但し後述の時刻表示部１７２の表示タイミングを除く）、行われる。図２５（ａ）の待機画面６０Ｐ′では、前記したように、９月１５日（土曜日）〜９月２１日（金曜日）までの各期日の１１：００に前記太陽光利用沸上運転が開始されるように設定された場合の、９月１４日（金曜日）の１８：００における表示状態を示している。この設定では直近の太陽光利用沸上運転の実行日が９月１５日（土曜日）となることから、その実行日の前日の９月１４日（金曜日）まで、前記日付表示部１７１に「９／２１まで」の表示が行われる。
【０２１７】
また本実施形態では、前記日付表示部１７１において前記最終日の日付がなされるとき（すなわち直近の実行日の前日までの間）、当該日付表示部１７１の横に、太陽光利用沸上運転の実行を予告する余剰沸上予告マークＭＫ（太陽マーク形状。予告表示の一例に相当）が表示される。
【０２１８】
図２５（ａ）に示した状態の後、前記直近の実行日になると、画面表示部６０には図２５（ｂ）の待機画面６０Ｑ′が表示される。この待機画面６０Ｑ′では、前記待機画面６０Ｐ′における前記日付表示部１７１に代えて、各太陽光利用沸上運転の実行日における当該太陽光利用沸上運転の開始時刻を表す時刻表示部１７２が設けられる。なお詳細には、前記日付表示部１７１から時刻表示部１７２への表示の切り替えは、前記実行日の前日から前記実行日へ日付が切り替わる午前０時ではなく、前記夜間帯における前記午前０時よりも後のタイミングとなる第４所定時刻（例えば１：００。後述の図２８（ａ）等参照）において行われる。
【０２１９】
図２５（ｂ）に示す例では、９月１５日（土曜日）の１：００における表示状態を示しており、前記した９月１５日（土曜日）〜９月２１日（金曜日）の１１：００に前記太陽光利用沸上運転が開始される、という設定に応じて、時刻表示部１７２に「１１：００」の表示が行われている。なお、この時刻表示部１７２における表示は、前記太陽光利用沸上運転の前記実行日となった後（正確には前記１：００以降）、実際に太陽光利用沸上運転が開始されるまでの間、行われる。
【０２２０】
図２５（ｂ）に示した状態の後、前記実行日の前記太陽光利用沸上運転の開始時刻になると、画面表示部６０には図２６（ａ）の待機画面６０Ｒ′が表示される。この待機画面６０Ｒ′では、前記待機画面６０Ｑ′における前記日付表示部１７１及び余剰沸上予告マークＭＫに代えて、前記太陽光利用沸上運転が実行中であることを表す「湯増し中」のメッセージ表示ＭＳ（実行表示の一例に相当）が表示される。なお、このメッセージ表示ＭＳは、実際に前記太陽光利用沸上運転が実行中である間（図示の例では９月１５日（土曜日）の１１：３０での状態を表している）、行われる。
【０２２１】
図２６（ａ）に示した状態の後、前記実行日の前記太陽光利用沸上運転が終了すると、前記図２５（ａ）と同様、図２６（ｂ）に示すように、待機画面６０Ｐ″の日付表示部１７１において、前記実行が選択された連続期日のうち、最終日の日付が表示される。この例では９月１５日（土曜日）の１４：００における表示状態を表しており、前記同様、前記日付表示部１７１に「９／２１まで」の表示が行われるとともに、前記余剰沸上予告マークＭＫが表示されている。
【０２２２】
図２６（ｂ）に示した状態の後、前記同様、その後の直近の実行日（この例では９月２１日（金曜日））の１：００になると、画面表示部６０には図２７の待機画面６０Ｑ″が表示される。この待機画面６０Ｑ″では、前記同様、前記待機画面６０Ｐ″における前記日付表示部１７１に代えて前記時刻表示部１７２が設けられる。この例では、９月１６日（日曜日）の１：００における表示状態を示しており、前記した９月１５日（土曜日）〜９月２１日（金曜日）の１１：００に前記太陽光利用沸上運転が開始される、という設定に応じて、再び時刻表示部１７２に「１１：００」の表示が行われている。
【０２２３】
なお、以上説明した図２５、図２６、図２７に示した画面表示部６０の画面遷移は、前記表示制御部３３Ｂによる制御によって行われる。すなわち、前記表示制御部３３Ｂは、各請求項記載の予告表示制御手段及び実行表示制御手段として機能する。
【０２２４】
＜待機画面表示例のタイムテーブル＞
前記図２５、図２６、及び図２７を用いて説明した、前記待機画面６０Ｐ′，６０Ｑ′，６０Ｒ′における表示内容の例を、図２８に示すタイムテーブルのうち図２８（ａ）に示す。
【０２２５】
図２８（ａ）において、この例では、前記の、９月１５日（土曜日）〜９月２１日（金曜日）の各期日の１１：００に前記太陽光利用沸上運転（ソーラーモード１週間による運転）を実行する旨の設定が、９月１４日（金曜日）の１８：００になされている。前記したように、太陽光利用沸上運転の実行が設定された後、前記直近の実行日の前日及び前記直近の実行日の１：００より前までの間は、日付表示部１７１において太陽光利用沸上運転が実行される最終日の日付表示が行われる。この結果、９月１４日（金曜日）の２０：００〜９月１５日（土曜日）１：００より前までは、待機画面６０Ｐ′において、日付表示部１７１で「９／２１まで」が表示されるとともに、前記したようにその横に前記余剰沸上予告マークＭＫ（太陽マーク形状）が表示される。
【０２２６】
その後、前記したように前記直近の実行日の１：００以降は、時刻表示部１７２において直近の太陽光利用沸上運転の開始時刻が表示され、また太陽光利用沸上運転が実際に実行されている間は、前記メッセージ表示ＭＳが表示される。この結果、図示のように、９月１５日（土曜日）の１：００〜１１：００より前までは、待機画面６０Ｑ′において、前記余剰沸上予告マークＭＫ（太陽マーク形状）に加え、時刻表示部１７２において「１１：００」が表示される。そして、前述のようにその後の９月１５日（土曜日）の１１：００に太陽光利用沸上運転が開始された後その太陽光利用沸上運転が終了する１３：００までの間は、待機画面６０Ｒ′において前記「湯増し中」のメッセージ表示ＭＳが表示される。その後、９月１５日（土曜日）の１３：００以降になると前記同様に待機画面６０Ｐ′の日付表示部１７１における前記最終日の日付「９／２１まで」及び前記余剰沸上予告マークＭＫ（太陽マーク形状）が表示され、９月１６日（日曜日）の１：００より前まで、この表示となる。
【０２２７】
その後、前記９月１５日（土曜日）における表示切り替えパターンが、９月１６日（日曜日）、９月１７日（月曜日）、９月１８日（火曜日）、９月１９日（水曜日）、９月２０日（木曜日）と繰り返される。そして、９月２０日（木曜日）の１３：００以降における待機画面の日付表示部１７１における前記最終日の日付「９／２１まで」及び前記余剰沸上予告マークＭＫは、９月２１日（金曜日）の１：００より前まで、継続される。
【０２２８】
その後、９月２１日（金曜日）の１：００〜１１：００より前までは、前記同様、待機画面において、前記余剰沸上予告マークＭＫに加え時刻表示部１７２において「１１：００」が表示される。そして、９月２１日（金曜日）の１１：００に最後の太陽光利用沸上運転が開始された後その太陽光利用沸上運転が終了する１３：００までの間、待機画面において前記「湯増し中」のメッセージ表示ＭＳが表示される。その後は、日付表示部１７１、時刻表示部１７２、余剰沸上予告マークＭＫの表示は行われなくなる。
【０２２９】
図２８（ｂ）に、前記図２８（ａ）と同様、９月１５日（土曜日）〜９月２１日（金曜日）の各期日の１１：００に前記太陽光利用沸上運転の実行の設定がなされた後、９月１５日（土曜日）の１７：００において、前記開始時刻１１：００の設定を、１３：００に繰り下げる変更をした場合の例を示す。
【０２３０】
この場合、前記変更がなされるまでは前記図２８（ａ）と同様であり、９月１４日（金曜日）の１８：００〜９月１５日（土曜日）１：００より前までは、待機画面６０Ｐ′において、日付表示部１７１で「９／２１まで」が表示されるとともに、前記したようにその横に前記余剰沸上予告マークＭＫ（太陽マーク形状）が表示される。その後、９月１５日（土曜日）の１：００〜１１：００より前までは、待機画面６０Ｑ′において、前記余剰沸上予告マークＭＫ（太陽マーク形状）に加え、時刻表示部１７２において「１１：００」が表示される。また前記太陽光利用沸上運転中の９月１５日（土曜日）の１１：００〜１３：００においては、待機画面６０Ｒ′において前記「湯増し中」のメッセージ表示ＭＳが表示される。
【０２３１】
そして、前記９月１５日（土曜日）１７：００において前記の変更がなされた後は、この変更内容に対応して、前記最終日付である９月２１日（金曜日）の１：００以降では、待機画面において、前記余剰沸上予告マークＭＫ（太陽マーク形状）に加え、時刻表示部１７２において「１３：００」が表示されることとなる（図２８（ｂ）参照）。そして、９月２１日（金曜日）の１３：００になると、１３：００から太陽光利用沸上運転を実行開始する旨の（前記変更内容を反映した）前記設定が、前記ステップＳ４０やステップＳ４２で説明したように、前記余剰沸上実行部３３Ａ及び前記余剰沸上設定部３３Ｃにより受け付けられ、この設定に基づきステップＳ４０及びステップＳ４２以降の前述した制御が実行される。こうして太陽光利用沸上運転が開始され１３：００以降、その太陽光利用沸上運転が終了する１５：００までの間、待機画面において前記「湯増し中」のメッセージ表示ＭＳが表示される。
【０２３２】
さらに、詳細は図示を省略するが、前記図２８（ａ）と同様、９月１５日（土曜日）〜９月２１日（金曜日）の各期日の１１：００に前記太陽光利用沸上運転の実行の設定がなされた後、９月１５日（土曜日）の１０：００において、前記開始時刻１１：００の設定を、１０：００に繰り上げる変更をした場合について説明する。
【０２３３】
この場合、前記同様、前記変更がなされるまでは前記図２８（ａ）と同一の表示態様であり、９月１４日（金曜日）の１８：００〜９月１５日（土曜日）１：００より前までは、待機画面６０Ｐ′において、日付表示部１７１で「９／２１まで」が表示されるとともに、前記したようにその横に前記余剰沸上予告マークＭＫ（太陽マーク形状）が表示される。その後、９月１５日（土曜日）の１：００〜１０：００より前までは、待機画面６０Ｑ′において、前記余剰沸上予告マークＭＫ（太陽マーク形状）に加え、時刻表示部１７２において「１１：００」が表示される。そして、前記９月１５日（土曜日）１１：００において前記の１０：００にくりあげる変更がなされると、この変更内容に対応して、その繰り上げられた開始時刻１０：００は既に過ぎていることから、当該１０：００からの太陽光利用沸上運転を実行開始する旨の（前記変更内容を反映した）前記設定が、前記ステップＳ４０やステップＳ４２で説明したように、前記余剰沸上実行部３３Ａ及び前記余剰沸上設定部３３Ｃにより受け付けられ、この設定に基づき制御が実行される。すなわち、前記開始時刻を既に過ぎていることに対応し、前記図９のステップＳ３２０の判定が満たされることとなって前記余剰沸上制御部４０により直ちに前記ステップＳ３２２の余剰沸上（太陽光利用沸上運転）が開始される。こうして１１：００に太陽光利用沸上運転が開始されて以降は、その太陽光利用沸上運転が２時間後に終了する（すなわち１３：００）までの間、前記待機画面６０Ｒ′において前記「湯増し中」のメッセージ表示ＭＳが表示される。これ以降は、図２８（ａ）と同様であり、説明を省略する。
【０２３４】
＜第２実施形態の効果＞
以上説明したように、本実施形態によれば、前記太陽光利用沸上運転の実行・不実行の選択及び前記開始時刻の設定を、連続する複数日数である連続期日（前記の例では７日連続する１週間）にわたって行うことができ、かつ、それら複数の期日すべてに対し共通に一括して前記実行・不実行の選択及び前記太陽光利用沸上運転の開始時刻の設定を行うことができる。これにより、ユーザは、例えば太陽光利用沸上運転の実行日に先立つ所望日（前記の例に沿うと９月１４日（金曜日））に、予め、複数日数分（前記の例に沿うと９月１５日（土曜日）〜９月２１日（金曜日）の７日分）の前記太陽光利用沸上運転の実行・不実行の選択（図２１（ａ）、図２１（ｂ）等参照）と実行日における前記開始時刻の設定（図２２（ｂ）等参照）とを一括して行うことができる。この結果、太陽光利用沸上運転の実行・不実行や運転開始時刻の設定を毎日行わなければならない煩雑さを解消し、ユーザにとっての利便性を向上することができる。
【０２３５】
また、単純に、毎日、同じ開始時刻に前記太陽光利用沸上運転の実行を設定する構成の場合、ユーザがその設定を取り消さない限り、半永久的に毎日前記太陽光利用沸上運転の実行が繰り返されることとなる。特に、ユーザが前記太陽光利用沸上運転の実行の設定をしたことを失念していた場合には、意図しない長期間にわたって不用意に前記太陽光利用沸上運転が実行されるおそれがある。これに対して、本実施形態によれば、前記太陽光利用沸上運転の実行が開始された後、少なくとも複数日数（この例では１週間）が経過すれば前記太陽光利用沸上運転は実行されなくなるので、前記のような不都合を未然に防止することができる。
【０２３６】
また、本実施形態では特に、ある日付において、その日（当日）における前記太陽光利用沸上運転の実行・不実行の選択は受け付けられない（図２４（ｂ）参照）。これには以下のような意義がある。すなわち、既に述べたように、通常、太陽光利用沸上運転を行う場合には、その前日の夜間帯に行われる沸上運転での沸上湯量（前記夜間沸上容量に対応）を、前記太陽光利用沸上運転で見込まれる沸上湯量分だけ減算する（前記補正夜間沸上容量に対応）ことで、夜間沸上時の電気料金の抑制が図られる。したがって、太陽光利用沸上運転を行うか否かは、少なくともその運転を行う前日には確定しておく必要がある。本実施形態においては、当日を起算日とした前記複数日数分の太陽光利用沸上運転の実行・不実行の選択を受け付けず、言い換えれば少なくとも当日の翌日以降を起算日とした前記複数日数分の前記選択のみを受け付けることで、前記沸上湯量の減算による電気料金抑制を確実に図ることができる。
【０２３７】
また、本実施形態では特に、ある日付において、その日（当日）のうち前記夜間帯の開始時刻以降（前記の例では２３：００以降）における前記太陽光利用沸上運転の実行・不実行の選択は受け付けられない（図１６（ｂ）参照）。これには以下のような意義がある。すなわち、既に述べたように、通常、前記夜間帯は、ある日付遅くの深夜時刻から始まり、午前０時で翌日の日付に変わった後、その翌日の早朝までの時間帯となる（例えば電力会社との契約内容によって決まる。前記の例では２３：００〜７：００）。本実施形態においては、午前０時になる前であっても、前記夜間帯が開始される開始時刻となっていればその翌日を起算日とする前記太陽光利用沸上運転の実行・不実行の選択を受け付けないようにする。これにより、前記同様、当該夜間帯の沸上運転における前記沸上湯量の減算による電気料金抑制を確実に図ることができる。
【０２３８】
また、本実施形態では特に、前記のようにして一旦受け付けられた、各期日共通の太陽光利用沸上運転の前記実行又は前記不実行の選択に対する取り消し（キャンセル）が、各期日共通に一括して受け付けられる。これにより、例えば天気予報の内容が変わった等の何らかの事情によって一旦ユーザが行った太陽光利用沸上運転の前記実行・不実行の選択を取り消したい場合にも確実に対応することができる。この結果、ユーザにとっての利便性をさらに向上することができる。
【０２３９】
また、本実施形態では特に、前記のようにして受け付けられて前記太陽光利用沸上運転が実行される各実行日における、当該太陽光利用沸上運転の終了時刻より前（前記の例では１３：００より前）は、当該実行日以降に対する前記実行又は前記不実行の選択に対する取り消しが受け付けられる。これには以下のような意義がある。すなわち、ユーザの前記実行の選択で太陽光利用沸上運転が終了する前であれば、その日における当該実行の選択が取り消されても、制御上はただちに前記太陽光利用沸上運転を中止すれば問題はない。本実施形態によれば、これに対応して太陽光利用沸上運転が終了する前における前記取り消しを許容することで、さらにユーザの利便性を向上することができる。
【０２４０】
また、本実施形態では特に、太陽光利用沸上運転が実行される実行日における、当該太陽光利用沸上運転の終了時刻（前記の例では１３：００）以降は、その実行日に対する前記実行又は前記不実行の選択に対する前記取り消しが受け付けられない。これにより、ユーザの前記実行の選択で既に太陽光利用沸上運転が実行済みのタイミングにおいて、その日における当該実行の選択が取り消されることにより制御上の混乱が生じるのを、未然に防止することができる。
【０２４１】
また、本実施形態では特に、一旦受け付けられた、各期日共通の太陽光利用沸上運転の開始時刻の設定に対する変更が、各期日共通に一括して受け付けられる（図２４（ｄ）等参照）。これにより、前記と同様、例えば天気予報の内容が変わった等の何らかの事情によって一旦ユーザが行った太陽光利用沸上運転の前記開始時刻の設定を変更したい場合にも確実に対応することができる。この結果、ユーザにとっての利便性をさらに向上することができる。
【０２４２】
また、本実施形態では特に、前記のようにして受け付けられて前記太陽光利用沸上運転が実行された各実行日における、当該太陽光利用沸上運転の開始時刻より前（前記の例では１１：００より前）は、当該実行日以降に対する前記開始時刻に対する前記変更が受け付けられる。これには以下のような意義がある。すなわち、ユーザの前記実行の選択で太陽光利用沸上運転が開始される前であれば、その日における当該太陽光利用沸上運転の開始時刻が変更されても、制御上はただちにその変更された開始時刻に対応して前記太陽光利用沸上運転を行えば問題はない。本実施形態によれば、これに対応して太陽光利用沸上運転が開始される前における前記変更を許容することで、さらにユーザの利便性を向上することができる。
【０２４３】
また、本実施形態では特に、前記太陽光利用沸上運転の実行日における、当該太陽光利用沸上運転の開始時刻（前記の例では９月１５日（土曜日）〜９月２１日（金曜日）それぞれの１１：００）以降は、当該太陽光利用沸上運転の開始時刻に対する変更は受け付けられない。これにより、前記と同様、ユーザの前記開始時刻の設定で既に太陽光利用沸上運転が開始済みのタイミングにおいて、当該開始時刻が変更されることにより制御上の混乱が生じるのを、未然に防止することができる。
【０２４４】
また、本実施形態では特に、前記したように、前記太陽光利用沸上運転の各実行日の前記開始時刻より早い受付時刻において、当該太陽光利用沸上運転の前記開始時刻を前記受付時刻よりも早くする変更を受け付けた時には、直ちに前記太陽光利用沸上運転を開始する。これにより、ユーザの当初の意図とは異なり、現在時刻よりも早いタイミングで太陽光利用沸上運転を開始したかったという新たな意図に対応し、極力迅速に太陽光利用沸上運転を開始することができる。
【０２４５】
また、本実施形態では特に、画面表示部６０の設定画面６０Ｅ′，６０Ｆ′，６０Ｇ′等のメッセージ表示部１６５のメッセージ中において、所定の表示日（操作日）から複数日数分（前記の例では７日分）経過後の最終日付が表示され、当該最終日付までの各期日共通に一括して前記太陽光利用沸上運転の実行・不実行が受け付けられる（図２１（ａ）、図２１（ｂ）、図２２（ａ）等参照）。これにより、ユーザは、表示されている複数日数分の最終日の日付を見ながら、各日付共通で、前記太陽光利用沸上運転の実行・不実行の選択を一括して行うことができる。これにより、わかりやすく簡便な操作で前記選択を行うことができ、さらにユーザにとっての利便性を向上することができる。また、ユーザは、前記複数日数分の各日付について共通に前記太陽光利用沸上運転の実行が選択されているのか不実行が選択されているのか、何日までが選択済なのか、等を容易に確認できる。この結果、ユーザは、天気予報の変化等に応じてさらに前記選択の変更が必要かどうかを判断し、必要に応じて適宜前記選択変更等を行うことができる。
【０２４６】
また、本実施形態では特に、メッセージ表示部１６５のメッセージ中において、前記夜間帯の開始時刻（前記の例では２３：００）となる前は、前記表示日から前記複数日数分経過後の前記最終日付が表示され、前記夜間帯の開始時刻以降は、前記所望日の翌日から前記前記複数日数分経過後の前記最終日付が表示される。これには、以下のような意義がある。
【０２４７】
すなわち、既に述べたように、通常、夜間帯は、ある日付遅くの深夜時刻から始まり、午前０時で翌日の日付に変わった後、その翌日の早朝までの時間帯となる（例えば電力会社との契約内容によって決まる）。そして、翌日に太陽光利用沸上運転を実行するかどうか否かによって、当該夜間帯における沸上運転の態様が変わってくる（翌日に太陽光利用沸上運転を行う場合には、その前日の夜間帯に行われる沸上運転での沸上湯量を、前記太陽光利用沸上運転で見込まれる沸上湯量分だけ減算するため）。したがって、メッセージ表示部１６５のメッセージ中において前記最終日付を表示するときの表示切り替えの境目としては、暦通りの午前０時とするのはなく、それより前の前記夜間帯の開始時刻としたほうが、前記の事情との整合が図りやすく、好都合である。これに対応して、本実施形態によれば、夜間帯の開始時刻（例えば前記２３時）となる前はその日から前記複数日数分（前記の例では７日分）経過した後の前記最終日付を表示する一方、前記夜間帯の開始時刻以降はその日の翌日から前記複数日数分（前記の例では７日分）経過した後の前記最終日付を表示する。これにより、前記の整合を図ることができ、ユーザにとってわかりやすく使いやすい表示内容とすることができる。
【０２４８】
また、本実施形態では特に、設定画面６０Ｈ′において、前記第１実施形態と同様、前記夜間帯の終了時刻以降の第２所定時刻（前記の例では７：００）から、前記第１所定時刻より早い第３所定時刻（前記の例では１５：００）までの時間範囲において、前記太陽光利用沸上運転の前記開始時刻として設定可能な複数の開始時刻候補（前記の例では「７時」「８時」「９時」「１０時」「１１時」「１２時」「１３時」「１４時」「１５時」）が順次視認可能に表示され、ユーザによるその中のいずれか１つの選択が受け付けられる。これには、以下のような意義がある。
【０２４９】
すなわち、既に述べたように、太陽光発電は少なくとも夜間帯には行われないので、前記太陽光利用沸上運転が行われるときの開始時刻は、前記夜間帯の終了時刻以降となる。また、太陽光の照射は日中が発電を行うのに十分であっても、夕方に近づくほど徐々に小さくなり、ある程度の時刻（例えば１７時等）になると、発電するには不足する状態となる。したがって、それに相当する時刻（第１所定時刻）以降はその日の太陽光発電は不可能であるため、前記開始時刻は当該第１所定時刻以前となる。詳細には、前記太陽光利用沸上運転の所要時間（前記の例では２時間）を考えれば、前記第１所定時刻から前記所要時間分だけ繰り上がった時刻以降は、前記開始時刻を設定しても意味がない。そこで本実施形態においては、前記と同様、夜間帯の終了時刻以降の第２所定時刻（前記の例では７：００）から、前記第１所定時刻より早い第３所定時刻（前記の例では１５：００）までの時間範囲（前記の例では７：００〜１５：００）において、前記複数の開始時刻候補を表示する。ユーザは、この複数の候補の中から前記開始時刻を適宜に選択すれば足りるので、簡単な操作でわかりやすく、利便性をさらに向上することができる。
【０２５０】
また、本実施形態では特に、前記第１実施形態と同様、前記第３所定時刻（前記の例では１５：００）は、前記第１所定時刻までの時間偏差が、前記太陽光利用沸上運転に要する所要時間（前記の例では２時間）以上となるように、設定されている。これにより、第３所定時刻と第１所定時刻との時間偏差を、少なくとも太陽光利用沸上運転に要する所要時間（前記の例では２時間）以上分は確保することにより、前記のような実質的に意味のない表示を確実に回避し、ユーザにとってわかりやすく使いやすい表示内容とすることができる。
【０２５１】
また、本実施形態では特に、前記太陽光利用沸上運転の実行が選択された場合には、前記待機画面６０Ｐ′，６０Ｐ″等において、その太陽光利用沸上運転が実行される前記連続期日のうち最終日の前日までの間、当該太陽光利用沸上運転の実行を予告する余剰沸上予告マークＭＫと、前記最終日の日付を表す日付表示部１７１（前記の例では「９／２１まで」）と、を表示する。これにより、ユーザは、太陽光利用沸上運転の実行の選択がなされていること、及び、当該太陽光利用沸上運転がいつまで実行されるのか、を確実に視認することができる。また、直近の太陽光利用沸上運転が実行される複数日数の最終日が容易に確認できるので、ユーザは、天気予報の変化等に応じて適宜に前記実行・不実行の選択の変更が必要かどうかを前記最終日まで判断することができ、必要に応じて適宜前記選択変更等を行うことができる。
【０２５２】
また、本実施形態では特に、前記連続期日の各期日における、前記太陽光利用沸上運転の実行開始時刻より前までは、前記待機画面６０Ｑ′，６０Ｑ″等において、前記最終日の前記日付に代えて、前記太陽光利用沸上運転の開始時刻を表す時刻表示部１７２（前記の例では「１１：００」）を表示する。これにより、ユーザは、太陽光利用沸上運転が実行される日になったこと、及び、その日の何時に当該太陽光利用沸上運転が始まるのか、を確実に視認することができる。また、太陽光利用沸上運転が実行される当日において太陽光利用沸上運転の開始時刻が容易に確認できるので、ユーザは、例えば当日の時間帯別の天気予報の変化等に応じてさらに前記実行・不実行の選択の変更や前記開始時刻の設定の変更が必要かどうかをギリギリまで判断することができ、必要に応じて適宜前記選択変更や前記開始時刻の変更等を行うことができる。
【０２５３】
また、本実施形態では特に、待機画面６０Ｐ′の日付表示部１７１から待機画面６０Ｑ′の時刻表示部１７２への切り替えを、前記夜間帯における午前０時よりも遅い第４所定時刻（前記の例では１：００）において行う。これには以下のような意義がある。
【０２５４】
すなわち、前記したように夜間帯の設定は電力会社との契約内容によって種々異なる場合があり、その設定によっては、前記のような実行日前日から実行日当日への区切りを考える際に午前０時を境にするとうまく整合しない場合がありうる。そこで本実施形態においては、午前０時よりも遅い第４所定時刻（前記の例では１：００）を境に前記日付表示部１７１から前記時刻表示部１７２の表示に切り替えることで、前記の弊害を未然に防止することができる。
【０２５５】
また、本実施形態では特に、前記太陽光利用沸上運転が実行されている間は、前記待機画面６０Ｒ′において、その実行中であることを表す「湯増し中」のメッセージ表示ＭＳを行う。これにより、前記と同様、ユーザに対し、いま現在、太陽光利用沸上運転が実行中であることを確実に報知することができる。またこれにより、その日の当該太陽光利用沸上運転の前記開始時刻の変更を行うことができないことをユーザに確実に認識させることもできる。
【０２５６】
また、本実施形態では特に、前記連続期日を、１週間連続する７つの期日（前記の例では９月１５日（土曜日）、９月１６日（日曜日）、９月１７日（月曜日）、９月１８日（火曜日）、９月１９日（水曜日）、９月２０日（木曜日）、９月２１日（金曜日））により構成する。これには以下のような意義がある。
【０２５７】
一般に、天気予報では、ある程度連続した複数の日付における天気を一括して予測する場合に、１週間を単位とした週間天気予報の態様でアナウンスされることが多い。本実施形態においてはこれに対応し、前記連続期日を７日連続する７つの期日とする。すなわち、所望日の翌日を起算日とした７日間に関してだけ、前記太陽光利用沸上運転の前記実行・不実行の選択と、前記太陽光利用沸上運転の前記開始時刻の設定とを、共通に一括して行えるようにする。これにより、前記の事情に鑑みてあまり意味のない長い期間（例えば２０日間、３０日間等）の前記選択及び前記設定をなくし、実情に合致した使いやすい装置構成とすることができる。
【０２５８】
本発明の第３実施形態を図２９〜図３１により説明する。本実施形態は、前記第１実施形態における「ソーラーモード」と、前記第２実施形態における「ソーラーモード１週間」とを、相互に切り替えて行えるようにし、さらにそれら「ソーラーモード」「ソーラーモード１週間」のうち一方のモードによる前記設定が行われた後に、追加の操作にて他方のモードによる設定に変更する場合の実施形態である。上記第１実施形態及び第２実施形態と同等の部分には同一の符号を付し、適宜説明を省略又は簡略化する。
【０２５９】
本実施形態における前記制御装置３１の機能構成は、前記図４に示したものと同一である。そして、本実施形態においても、図５を用いて前述したように、リモコン装置５０の画面表示部６０は、常には前記待機状態にあって、前記待機画面６０Ａが表示されている。本実施形態では、この状態から前記「メニュー／決定」スイッチ７５が操作されることで、前記画面表示部６０の表示が図示しないメインメニュー画面へ移行し、さらに「メニュー／決定」スイッチ７５等の適宜の操作が行われることで、図２９に示す設定画面６０Ｊ′へ移行する。
【０２６０】
この設定画面６０Ｂ′では、運転モード表示部１６１と、メッセージ表示部１６２と、を有している。運転モード表示部１６１では、前記「運転モード」、前記「ソーラーモード」と、前記「ソーラーモード１週間」と、が選択可能に表示される。この図２９に示す状態から、ユーザが前記十字キー７４を下向きに操作し画面内のカーソルＫを下方へ１段移動させ、以降既に述べた前記の操作を行うことで、前記第１実施形態において説明したように前記ソーラーモードを選択し、当該ソーラーモードにおける前記各種の設定・選択を行うことができる（詳細な説明は省略）。同様に、前記図２９に示す状態から、ユーザが前記十字キー７４を下向きに２回操作し画面内のカーソルＫを下方へ２段移動させ、以降既に述べた前記の操作を行うことで、前記第２実施形態において説明したように前記ソーラーモード１週間を選択し、当該ソーラーモード１週間における前記各種の設定・選択を行うことができる（詳細な説明は省略）。
【０２６１】
本実施形態においては、前記したように、前記ソーラーモード１週間による前記実行・不実行の設定及び開始時刻の設定を、その後のリモコン装置５における適宜の操作（詳細な説明及び図示は省略）によって、前記ソーラーモードによる前記実行・不実行の設定及び開始時刻の設定に変更することができる（その逆も可。後述の図３１参照）。その変更操作及びこれに伴う前記待機画面における表示挙動の一例を、図３０に示すタイムテーブルに示す。
【０２６２】
図３０において、この例では、前記と同様、９月１５日（土曜日）〜９月２１日（金曜日）の各期日の１１：００に前記太陽光利用沸上運転（ソーラーモード１週間による運転）を実行する旨の設定が、９月１４日（金曜日）の１８：００になされている。その後、前記図２８（ａ）と同様、９月１４日（金曜日）の２０：００〜９月１５日（土曜日）１：００より前までは前記待機画面の日付表示部１７１での「９／２１まで」と前記余剰沸上予告マークＭＫとが表示され、９月１５日（土曜日）の１：００〜１１：００より前までは前記余剰沸上予告マークＭＫに加え時刻表示部１７２において「１１：００」が表示される。そして、９月１５日（土曜日）の１１：００〜１３：００の太陽光利用沸上運転中の間は、前記「湯増し中」のメッセージ表示ＭＳが表示され、９月１５日（土曜日）の１３：００以降になると前記同様に日付表示部１７１の「９／２１まで」及び前記余剰沸上予告マークＭＫが表示される。
【０２６３】
この表示状態で、この例では、前記９月１５日（土曜日）１７：００において、前記ソーラーモード１週間から前記ソーラーモードへの切り替え操作が行われるとともに、９月１６日（日曜日）の１３：００に前記太陽光利用沸上運転が開始され、かつ、９月１７日（月曜日）の１４：００に前記太陽光利用沸上運転が開始されるように設定が行われている。この変更内容に対応して、９月１５日（土曜日）の１７：００〜９月１６日（日曜日）１：００より前までは、待機画面の日付表示部１７１で「９／１６」が表示されるとともに、前記したようにその横に前記余剰沸上予告マークＭＫ（太陽マーク形状）が表示される。
【０２６４】
その後、前記変更内容に対応して、９月１６日（日曜日）の１：００〜１３：００より前までは、待機画面において前記余剰沸上予告マークＭＫ（太陽マーク形状）に加え、時刻表示部１７２において「１３：００」が表示される。そして、その後の９月１６日（日曜日）の１３：００に太陽光利用沸上運転が開始された後その太陽光利用沸上運転が終了する１５：００までの間は、待機画面において前記「湯増し中」のメッセージ表示ＭＳが表示される。
【０２６５】
その後、９月１６日（日曜日）の１５：００以降になると前記同様に待機画面の日付表示部１７１における「９／１７」及び前記余剰沸上予告マークＭＫが表示され、９月１７日（月曜日）の１：００より前まで、この表示となる。そして９月１７日（月曜日）１：００以降になると前記同様に待機画面の時刻表示部１７２における「１４：００」及び前記余剰沸上予告マークＭＫ（太陽マーク形状）が表示される。その後９月１７日（月曜日）１４：００〜１６：００の間は待機画面で前記「湯増し中」のメッセージ表示ＭＳが表示される。
【０２６６】
また、本実施形態においては、前記ソーラーモードによる前記実行・不実行の設定及び開始時刻の設定を、その後のリモコン装置５における適宜の操作（詳細な説明及び図示は省略）によって、前記ソーラーモード１週間による前記実行・不実行の設定及び開始時刻の設定に変更することもできる。その変更操作及びこれに伴う前記待機画面における表示挙動の一例を、図３１に示すタイムテーブルに示す。
【０２６７】
図３１において、この例では、９月１５日（土曜日）の１１：００に前記太陽光利用沸上運転が開始され、かつ、９月１６日（日曜日）の１４：００に前記太陽光利用沸上運転が開始される旨の設定が、９月１４日（金曜日）の１８：００になされている。その後、前記図２８（ａ）と同様、９月１４日（金曜日）の１８：００〜９月１５日（土曜日）１：００より前までは前記待機画面の日付表示部１７１での「９／１５」と前記余剰沸上予告マークＭＫとが表示され、９月１５日（土曜日）の１：００〜１１：００より前までは前記余剰沸上予告マークＭＫに加え時刻表示部１７２において「１１：００」が表示される。そして、９月１５日（土曜日）の１１：００〜１３：００の太陽光利用沸上運転中の間は、前記「湯増し中」のメッセージ表示ＭＳが表示され、９月１５日（土曜日）の１３：００以降になると前記同様に日付表示部１７１の「９／１６」及び前記余剰沸上予告マークＭＫが表示される。
【０２６８】
この表示状態で、この例では、前記９月１５日（土曜日）１８：００において、前記ソーラーモードから前記ソーラーモード１週間への切り替え操作が行われるとともに、９月１６日（日曜日）〜９月２２日（土曜日）の各期日の１１：００に前記太陽光利用沸上運転（ソーラーモード１週間による運転）を実行する旨の設定が行われている。この変更内容に対応して、９月１５日（土曜日）の１８：００〜９月１６日（日曜日）１：００より前までは、待機画面の日付表示部１７１で「９／２２まで」が表示されるとともに、前記したようにその横に前記余剰沸上予告マークＭＫ（太陽マーク形状）が表示される。
【０２６９】
その後、前記変更内容に対応して、９月１６日（日曜日）の１：００〜１１：００より前までは、待機画面において前記余剰沸上予告マークＭＫ（太陽マーク形状）に加え、時刻表示部１７２において「１１：００」が表示される。そして、その後の９月１６日（日曜日）の１１：００に太陽光利用沸上運転が開始された後その太陽光利用沸上運転が終了する１３：００までの間は、待機画面において前記「湯増し中」のメッセージ表示ＭＳが表示される。
【０２７０】
その後、９月１６日（日曜日）の１３：００以降になると前記同様に待機画面の日付表示部１７１における「９／２２まで」及び前記余剰沸上予告マークＭＫが表示され、９月１７日（月曜日）の１：００より前まで、この表示となる。そして９月１７日（月曜日）１：００以降になると前記同様に待機画面の時刻表示部１７２における「１１：００」及び前記余剰沸上予告マークＭＫ（太陽マーク形状）が表示される。その後９月１７日（月曜日）１１：００〜１３：００の間は待機画面で前記「湯増し中」のメッセージ表示ＭＳが表示される。以降、９月１８日（火曜日）、９月１９日（水曜日）、９月２０日（木曜日）、９月２１日（金曜日）まで、同様の切り替え態様で表示が行われる。
【０２７１】
そして、９月２２日（土曜日）１：００以降になると前記同様に待機画面の時刻表示部１７２における「１１：００」及び前記余剰沸上予告マークＭＫ（太陽マーク形状）が表示され、その後９月２２日（土曜日）１１：００〜１３：００の間は待機画面で前記「湯増し中」のメッセージ表示ＭＳが表示される。その後は、日付表示部１７１、時刻表示部１７２、余剰沸上予告マークＭＫの表示は行われなくなる。
【０２７２】
なお、本発明は以上の態様に限定されることなく、その趣旨を変更しない範囲で適用可能なものであり、例えばヒートポンプ装置１９に代えて、電気ヒータ式の加熱手段を用いても良いものである。
例えば前記の設定完了時に、図１５（ｂ）の前記設定画面６０Ｍ等において複数日数分（この例では２日分）合計の見込み発電量（公知の手法で求めた概算の予測値）を表示するようにしても良い。あるいは、図１７〜図１８の前記待機画面６０Ｐ〜６０Ｒ等で同様の表示を行っても良い。同様に、前記の設定完了時に、図２３の前記設定画面６０Ｉ′において複数日数分（この例では連続する７日間分）合計の見込み発電量（公知の手法で求めた概算の予測値）を表示するようにしても良い。あるいは、図２５〜図２７の前記待機画面６０Ｐ′〜６０Ｒ′，６０Ｐ″〜６０Ｑ″で同様の表示を行っても良い。
また、図１１の前記設定画面６０Ｄ等で「９／１５（土），９／１６（日）」等と連続する２日間をリモコン装置５０側から事前に表示するのではなく、任意の連続する２日間を、予め用意したカレンダー画面へのユーザ入力により指定するようにしてもよい（カレンダー画面ではない別の適宜の入力手法でも良い）。同様に、図２１（ａ）の設定画面６０Ｅ′等において「９／２１（金）まで」と前記最終日付を表示するのではなく、任意の連続する７日間を、予め用意したカレンダー画面へのユーザ入力により指定するようにしてもよい（カレンダー画面ではない別の適宜の入力手法でも良い）。
さらにその際、カレンダー画面（あるいは前記別の入力手法）における前記指定する日数を任意にユーザ入力可能としておき、連続する２日間が指定されたら前記「ソーラーモード」、連続する７日間が指定されたら前記「ソーラーモード１週間」に自動的に切り替わり、前記「ソーラーモード」に切り替わった場合は前記２日間について前記のように個別に前記太陽光利用沸上運転の実行・不実行や前記開始時刻を設定可能となり、前記「ソーラーモード１週間」に切り替わった場合は前記７日間について前記のように一括して前記太陽光利用沸上運転の実行・不実行や前記開始時刻を設定可能となるようにしてもよい。その場合の前記の切り分けのしきい値を、前記のように指定が「２日以内」であるか「２日を超える（すなわち３日以上）」か、のように「２日」としてもよいし、２日よりも大きい他の日数としても良い。また一括して設定する日数を前記「ソーラーモード１週間」のように７日間とするのではなく、それ以外の日数、２〜６日間のいずれかや８日間以上としてもよい。
以上全ての変形例においても、前記第１実施形態又は第２実施形態と同様の効果を得る。
【０２７３】
また、以上において、図４等の各図中に示す矢印は信号の流れの一例を示すものであり、信号の流れ方向を限定するものではない。
【０２７４】
また、図６〜図９に示すフローチャート図は本発明を上記フローに示す手順に限定するものではなく、発明の趣旨及び技術的思想を逸脱しない範囲内で手順の追加・削除又は順番の変更等をしてもよい。
【符号の説明】
【０２７５】
１                貯湯式給湯機
３                太陽光発電装置
１０                貯湯タンク
１９                ヒートポンプ装置（加熱手段）
３３Ａ              余剰沸上実行部（共通選択受付手段、共通取消受付手段）
３３Ｂ              表示制御部（最終表示制御手段、時刻表示制御手段、予告表示制御手段、実行表示制御手段）
３３Ｃ              余剰沸上設定部（共通設定受付手段、共通変更受付手段）
４０                余剰沸上制御部（加熱制御手段）
５０                リモコン装置
６０                画面表示部（表示手段）
６０Ｂ〜Ｍ          設定画面
６０Ｂ′〜Ｉ′      設定画面
６０Ａ，Ｐ〜Ｒ      待機画面
６０Ｐ′〜Ｒ′      待機画面
６０Ｐ″，Ｑ″      待機画面
【図１】
2020094713.tif 000003
【図２】
2020094713.tif 000004
【図３】
2020094713.tif 000005
【図４】
2020094713.tif 000006
【図５】
2020094713.tif 000007
【図６】
2020094713.tif 000008
【図７】
2020094713.tif 000009
【図８】
2020094713.tif 000010
【図９】
2020094713.tif 000011
【図１０】
2020094713.tif 000012
【図１１】
2020094713.tif 000013
【図１２】
2020094713.tif 000014
【図１３】
2020094713.tif 000015
【図１４】
2020094713.tif 000016
【図１５】
2020094713.tif 000017
【図１６】
2020094713.tif 000018
【図１７】
2020094713.tif 000019
【図１８】
2020094713.tif 000020
【図１９】
2020094713.tif 000021
【図２０】
2020094713.tif 000022
【図２１】
2020094713.tif 000023
【図２２】
2020094713.tif 000024
【図２３】
2020094713.tif 000025
【図２４】
2020094713.tif 000026
【図２５】
2020094713.tif 000027
【図２６】
2020094713.tif 000028
【図２７】
2020094713.tif 000029
【図２８】
2020094713.tif 000030
【図２９】
2020094713.tif 000031
【図３０】
2020094713.tif 000032
【図３１】
2020094713.tif 000033